(57)【要約】  遅延情報を決定すること、伝達すること、および／または使用することに関する方法および装置を説明する。ワイヤレス端末が、送信を意図している、キュー待ちされている情報に対応している遅延情報を決定する。遅延情報は、送信されるべきデータが送信されるのを待っている時間の最大量を示している最大キュー待ち遅延を含む。決定された遅延情報は、制御情報レポート中で、基地局に伝達される。制御情報レポートに対する代替フォーマットは、遅延情報のみを伝えるレポートタイプと、一緒にコード化された遅延情報およびキューバックログ情報を伝えるレポートタイプとを含むことが可能である。基地局は、１つ以上のワイヤレス端末から受け取った遅延情報を使用して、アップリンクトラフィックチャネルセグメントを効率的にスケジューリングする。【選択図】      図５
2009521853.tif 000002
【特許請求の範囲】
【請求項１】
ワイヤレス端末を動作させる方法において、
送信されるべきデータに対応している遅延情報を決定することと、
前記決定された遅延情報のうちの少なくともいくつかを基地局に伝達することとを含む方法。
【請求項２】
遅延情報を決定することは、最大キュー待ち遅延を決定することを含み、
前記最大キュー待ち遅延は、送信されるべきデータが送信されるのを待っている時間の最大量を示している請求項１記載の方法。
【請求項３】
遅延情報を決定することは、第１の最大キュー待ち遅延を決定することを含み、
前記第１の最大キュー待ち遅延は、第１の送信キュー中のパケットがワイヤレス端末によって送信されるのを待っている時間の最大期間である請求項１記載の方法。
【請求項４】
遅延情報を決定することは、第２の最大キュー待ち遅延を決定することを含み、
前記第２の最大キュー待ち遅延は、第２の送信キュー中のパケットがワイヤレス端末によって送信されるのを待っている時間の最大期間であり、
前記決定された遅延情報のうちの少なくともいくつかを基地局に伝達することは、前記第１および第２の最大キュー待ち遅延を基地局に伝達することを含む請求項３記載の方法。
【請求項５】
前記第１および第２の送信キューは、異なるトラフィックフローに対応している請求項３記載の方法。
【請求項６】
前記第１の送信キューは音声トラフィックフローに対応し、前記第２の送信キューは非音声トラフィックフローに対応している請求項５記載の方法。
【請求項７】
前記第１の最大キュー待ち遅延は、前記第２の最大キュー待ち遅延よりも、より頻繁に報告される請求項５記載の方法。
【請求項８】
送信されるのを待っているデータの量を示しているバックログ情報を伝達することをさらに含む請求項２記載の方法。
【請求項９】
前記決定された遅延情報のうちの少なくともいくつかを伝達することは、ワイヤレス通信リンクを通して送信される遅延情報レポート中で前記最大キュー待ち遅延を送信することを含み、
バックログ情報を伝達することは、前記ワイヤレス通信リンクを通してバックログ情報レポート中で前記バックログ情報を送信することを含む請求項８記載の方法。
【請求項１０】
送信されるのを待っているデータの量を示しているバックログ情報を伝達することは、
送信されるべきデータのフレームカウントと、遅延情報とを一緒にコーディングすることと、
ワイヤレス通信リンクを通して、一緒にコーディングされた情報を送信することとを含む請求項８記載の方法。
【請求項１１】
伝達されるのを待っている複数のデータ送信ストリームに対応している情報の量を示している集約されたバックログ値を決定することをさらに含む請求項２記載の方法。
【請求項１２】
タイミング制約を満足する、送信されるのを待っているバックログの量を示しているタイミング制約付きバックログ量を決定することをさらに含む請求項１１記載の方法。
【請求項１３】
決定されたタイミング制約付きバックログ量を基地局に伝達することをさらに含む請求項１２記載の方法。
【請求項１４】
ワイヤレス端末において、
送信されるべきデータに対応している遅延情報を決定する送信遅延決定モジュールと、
前記遅延決定モジュールによって決定された少なくともいくつかの遅延情報を送信するワイヤレス送信機モジュールとを具備するワイヤレス端末。
【請求項１５】
送信されるべきデータを記憶する第１の送信キューと、
前記決定された遅延情報を含むキュー統計情報を含むメモリとをさらに具備し、
前記決定された遅延情報は、第１の送信キュー中のパケットがワイヤレス端末によって送信されるのを待っている時間の第１の最大量を示している第１の最大キュー待ち遅延を含む請求項１４記載のワイヤレス端末。
【請求項１６】
送信されるべきデータを記憶する第２の送信キューをさらに具備し、
前記決定された遅延情報を含むキュー統計情報は、第２の送信キュー中のパケットがワイヤレス端末によって送信されるのを待っている時間の第２の最大量を示している第２の最大キュー待ち遅延をさらに含み、
前記送信機は、前記第１および第２の最大キュー待ち遅延を基地局に送信するためのものである請求項１５記載のワイヤレス端末。
【請求項１７】
前記第１および第２の送信キューは、異なるトラフィックフローに対応している請求項１５記載のワイヤレス端末。
【請求項１８】
前記第１の送信キューは音声トラフィックフローに対応し、前記第２の送信キューは非音声トラフィックフローに対応している請求項１７記載のワイヤレス端末。
【請求項１９】
前記第２の最大キュー待ち遅延よりも、より頻繁に前記第１の最大キュー待ち遅延を送信するように送信機を制御する送信制御モジュールをさらに具備する請求項１７記載のワイヤレス端末。
【請求項２０】
送信されるのを待っているデータの量を示している情報を発生させるバックログ情報発生モジュールをさらに具備する請求項１５記載のワイヤレス端末。
【請求項２１】
送信されるべきデータのフレームカウントと、遅延情報とを一緒にコーディングするコーディングモジュールをさらに具備する請求項２０記載のワイヤレス端末。
【請求項２２】
送信されるのを待っているデータの総量を決定するデータ単位カウント集約モジュールをさらに具備し、
前記データは、複数の異なるデータ送信ストリームに対応している請求項１４記載のワイヤレス端末。
【請求項２３】
送信タイミング制約を満足する、送信されるのを待っているデータの量を決定する制約付きデータ単位カウントモジュールをさらに具備する請求項１４記載のワイヤレス端末。
【請求項２４】
ワイヤレス端末において、
送信されるべきデータに対応している遅延情報を決定する送信遅延決定手段と、
前記遅延決定モジュールによって決定された少なくともいくつかの遅延情報を送信するワイヤレス送信機手段とを具備するワイヤレス端末。
【請求項２５】
送信されるべきデータを記憶する第１の送信キュー手段と、
前記決定された遅延情報を含むキュー統計情報を記憶するメモリ手段とをさらに具備し、
前記決定された遅延情報は、第１の送信キュー手段中のパケットがワイヤレス端末によって送信されるのを待っている時間の第１の最大量を示している第１の最大キュー待ち遅延を含む請求項２４記載のワイヤレス端末。
【請求項２６】
送信されるべきデータを記憶する第２の送信キュー手段をさらに具備し、
前記決定された遅延情報を含むキュー統計情報は、第２の送信キュー手段中のパケットがワイヤレス端末によって送信されるのを待っている時間の第２の最大量を示している第２の最大キュー待ち遅延をさらに含み、
前記送信機手段は、前記第１および第２の最大キュー待ち遅延を基地局に送信するためのものである請求項２５記載のワイヤレス端末。
【請求項２７】
前記第１および第２の送信キュー手段は、異なるトラフィックフローに対応している請求項２５記載のワイヤレス端末。
【請求項２８】
前記第２の最大キュー待ち遅延よりも、より頻繁に前記第１の最大キュー待ち遅延を送信するように送信機を制御する送信制御手段と、
送信されるのを待っているデータの量を示している情報を発生させるバックログ情報発生手段とをさらに具備する請求項２７記載のワイヤレス端末。
【請求項２９】
方法を実現するためにワイヤレス端末を制御するための機械実行可能な命令が組み入れられたコンピュータ読取可能な媒体において、
前記方法は、
送信されるべきデータに対応している遅延情報を決定することと、
前記決定された遅延情報のうちの少なくともいくつかを基地局に伝達することとを含むコンピュータ読取可能な媒体。
【請求項３０】
前記遅延情報を決定するステップの一部として最大キュー待ち遅延を決定するための機械実行可能な命令がさらに組み入れられ、
前記最大キュー待ち遅延は、送信されるべきデータが送信されるのを待っている時間の最大量を示している請求項２９記載のコンピュータ読取可能な媒体。
【請求項３１】
前記遅延情報を決定するステップの一部として第１の最大キュー待ち遅延を決定するための機械実行可能な命令がさらに組み入れられ、
前記第１の最大キュー待ち遅延は、第１の送信キュー中のパケットがワイヤレス端末によって送信されるのを待っている時間の最大期間である請求項２９記載のコンピュータ読取可能な媒体。
【請求項３２】
前記遅延情報を決定するステップの一部として第２の最大キュー待ち遅延を決定し、
前記決定された遅延情報のうちの少なくともいくつかを基地局に伝達するステップの一部として前記第１および第２の最大キュー待ち遅延を基地局に伝達するための機械実行可能な命令がさらに組み入れられ、
前記第２の最大キュー待ち遅延は、第２の送信キュー中のパケットがワイヤレス端末によって送信されるのを待っている時間の最大期間である請求項３１記載のコンピュータ読取可能な媒体。
【請求項３３】
前記第１および第２の送信キューは、異なるトラフィックフローに対応している請求項３１記載のコンピュータ読取り可能な媒体。
【請求項３４】
デバイスにおいて、
送信されるべきデータに対応している遅延情報を決定し、
前記決定された遅延情報のうちの少なくともいくつかを基地局に伝達するように構成されているプロセッサを具備するデバイス。
【請求項３５】
前記プロセッサは、
前記遅延情報を決定する一部として最大キュー待ち遅延を決定するようにさらに構成され、
前記最大キュー待ち遅延は、送信されるべきデータが送信されるのを待っている時間の最大量を示している請求項３４記載のデバイス。
【請求項３６】
前記プロセッサは、
前記遅延情報を決定する一部として第１の最大キュー待ち遅延を決定するようにさらに構成され、
前記第１の最大キュー待ち遅延は、第１の送信キュー中のパケットがワイヤレス端末によって送信されるのを待っている時間の最大期間である請求項３４記載のデバイス。
【請求項３７】
前記プロセッサは、
前記遅延情報を決定する一部として第２の最大キュー待ち遅延を決定し、
前記決定された遅延情報のうちの少なくともいくつかを基地局に伝達する一部として前記第１および第２の最大キュー待ち遅延を基地局に伝達するようにさらに構成され、
前記第２の最大キュー待ち遅延は、第２の送信キュー中のパケットがワイヤレス端末によって送信されるのを待っている時間の最大期間である請求項３６記載のデバイス。
【請求項３８】
前記第１および第２の送信キューは、異なるトラフィックフローに対応している請求項３６記載のデバイス。
【請求項３９】
基地局を動作させる方法において、
遅延情報を第１のワイヤレス端末から受け取ることと、
前記受け取った遅延情報の関数として、前記第１のワイヤレス端末に対するワイヤレス端末アップリンク送信をスケジューリングすることとを含み、
遅延情報は、前記第１のワイヤレス端末を通して送信されるのを待っているデータに対応している方法。
【請求項４０】
少なくとも１つの付加的なワイヤレス端末から付加的な遅延情報を受け取ることをさらに含み、
少なくとも１つの付加的なワイヤレス端末から受け取った付加的な遅延情報は、少なくとも１つの付加的なワイヤレス端末によって送信されるのを待っているデータに対応し、
前記第１のワイヤレス端末に対するワイヤレス端末アップリンク送信のスケジューリングは、前記受け取った付加的な遅延情報の関数としてさらに実行される請求項３９記載の方法。
【請求項４１】
第１のワイヤレス端末から送信バックログ情報を受け取ることをさらに含み、
前記送信バックログ情報は、第１のワイヤレス端末から前記基地局に送信されるのを待っているデータの量を示し、
前記第１のワイヤレス端末に対するワイヤレス端末アップリンク送信のスケジューリングは、前記受け取ったバックログ情報の関数としてさらに実行される請求項４０記載の方法。
【請求項４２】
第１のワイヤレス端末から受け取った遅延情報は、前記第１のワイヤレス端末における第１の送信キューに対応している遅延情報を含む請求項４１記載の方法。
【請求項４３】
第１のワイヤレス端末から受け取った遅延情報は、前記第１のワイヤレス端末における第２の送信キューに対応している遅延情報をさらに含み、
前記ワイヤレス端末アップリンク送信のスケジューリングは、前記第１および第２の両方のキューに対応している遅延情報を使用して、少なくともある時点で実行される請求項４２記載の方法。
【請求項４４】
第１および第２のキューに対応している更新された遅延情報を時間期間にわたって受け取ることをさらに含み、
第１のキューに対応している遅延情報は、第２のキューに対応している遅延情報よりも、より頻繁に前記時間期間中に受け取られ、
前記第１および第２の送信キューは、それぞれ、第１および第２のトラフィックフローに対応し、前記第１および第２のトラフィックフローは異なるタイプのトラフィックに対応している請求項４３記載の方法。
【請求項４５】
第１のトラフィックフローは音声トラフィックフローであり、第２のトラフィックフローは非音声トラフィックフローである請求項４４記載の方法。
【請求項４６】
第１のワイヤレス端末から受け取った遅延情報は、最大キュー待ち遅延を含み、
前記最大キュー待ち遅延は、送信されるのを待っているデータが待っている時間の最大量を示している請求項４０記載の方法。
【請求項４７】
前記第１のワイヤレス端末から受け取った遅延情報は、送信デッドラインに対する最小遅延を含む請求項４０記載の方法。
【請求項４８】
前記スケジューリングは、第１のワイヤレス端末および前記付加的なワイヤレス端末のそれぞれによって送信されるべきデータの量の関数としてさらに実行される請求項４０記載の方法。
【請求項４９】
前記スケジューリングは、第１のワイヤレス端末が対応している第１のサービス品質レベルの関数として、および付加的なワイヤレス端末が対応している第２のサービス品質レベルの関数としてさらに実行され、
第１および第２のサービス品質レベルは異なっている請求項４８記載の方法。
【請求項５０】
アップリンクトラフィックチャネルセグメント割当情報を第１のワイヤレス端末に送信して、前記第１のワイヤレス端末によりデータのアップリンク送信に対してスケジューリングされた時点に対応しているアップリンクトラフィックチャネルセグメントを割り当てる請求項４０記載の方法。
【請求項５１】
前記受け取った送信バックログ情報は、
ｉ）伝達されるのを待っている複数のデータ送信ストリームに対応している情報の量を示している集約されたバックログ値と、
ｉｉ）タイミング制約を満足する、送信されるのを待っているバックログの量を示しているタイミング制約付きバックログ量との両方を含む請求項４１記載の方法。
【請求項５２】
基地局は、集約されたバックログ値とタイミング制約付き値とを別々の時間で受け取る請求項５１記載の方法。
【請求項５３】
基地局において、
第１のワイヤレス端末から遅延情報を受け取る受信機と、
前記受け取った遅延情報の関数として、前記第１のワイヤレス端末に対するワイヤレス端末アップリンク送信をスケジューリングするスケジューリングモジュールとを具備し、
遅延情報は、前記第１のワイヤレス端末によって送信されるのを待っているデータに対応している基地局。
【請求項５４】
前記受信機は、少なくとも１つの付加的なワイヤレス端末から付加的な遅延情報を受け取るためのものでもあり、
前記第１のワイヤレス端末に対するワイヤレス端末アップリンク送信のスケジューリングは、前記受け取った付加的な遅延情報の関数としても実行され、
少なくとも１つの付加的なワイヤレス端末から受け取った付加的な遅延情報は、少なくとも１つの付加的なワイヤレス端末によって送信されるのを待っているデータに対応している請求項５３記載の基地局。
【請求項５５】
第１のワイヤレス端末から受け取った送信バックログ情報を記憶するメモリモジュールをさらに具備し、
前記記憶された送信バックログ情報は、第１のワイヤレス端末から前記基地局に送信されるのを待っているデータの量を示し、
前記スケジューリングモジュールは、前記メモリモジュール中に記憶されている受け取ったバックログ情報の関数として、前記基地局に対するワイヤレス端末アップリンク送信をスケジューリングする請求項５４記載の基地局。
【請求項５６】
第１のワイヤレス端末から受け取って記憶させた遅延情報は、前記第１のワイヤレス端末における第１の送信キューに対応している遅延情報を含む請求項５５記載の基地局。
【請求項５７】
第１のワイヤレス端末から受け取って記憶させた遅延情報は、前記第１のワイヤレス端末における第２の送信キューに対応している遅延情報をさらに含み、
前記スケジューリングモジュールは、前記第１および第２のキューの両方に対応している記憶された遅延情報の関数として、ワイヤレス端末アップリンク送信をスケジューリングする請求項５６記載の基地局。
【請求項５８】
前記第１および第２の送信キューは、第１および第２のトラフィックフローに対応し、第１のトラフィックフローは音声トラフィックフローであり、第２のトラフィックフローは非音声トラフィックフローである請求項５７記載の基地局。
【請求項５９】
第１のワイヤレス端末から受け取って記憶させた遅延情報は、最大キュー待ち遅延を含み、
前記最大キュー待ち遅延は、送信されるのを待っているデータが待っている時間の最大量を示している請求項５５記載の基地局。
【請求項６０】
第１のワイヤレス端末から受け取って記憶させた遅延情報は、送信デッドラインに対する最小遅延を含む請求項５５記載の基地局。
【請求項６１】
前記受け取って記憶させた送信バックログ情報は、
ｉ）伝達されるのを待っている複数のデータ送信ストリームに対応している情報の量を示している集約バックログ値と、
ｉｉ）タイミング制約を満足する、送信されるのを待っているバックログの量を示しているタイミング制約付きバックログ量との両方を含む請求項５５記載の基地局。
【請求項６２】
記憶された集約バックログ値およびタイミング制約付き値は、基地局によって別々の時間で受け取られたものである請求項６１記載の基地局。
【請求項６３】
基地局において、
第１のワイヤレス端末から遅延情報を受け取る受信機手段と、
前記受け取った遅延情報の関数として、前記基地局に対するワイヤレス端末アップリンク送信をスケジューリングするスケジューリング手段とを具備し、
遅延情報は、前記第１のワイヤレス端末によって送信されるのを待っているデータに対応している基地局。
【請求項６４】
前記受信機手段は、少なくとも１つの付加的なワイヤレス端末から付加的な遅延情報を受け取るためのものでもあり、
前記第１のワイヤレス端末に対するワイヤレス端末アップリンク送信のスケジューリングは、前記受け取った付加的な遅延情報の関数としても実行され、
少なくとも１つの付加的なワイヤレス端末から受け取った付加的な遅延情報は、少なくとも１つの付加的なワイヤレス端末によって送信されるのを待っているデータに対応している請求項６３記載の基地局。
【請求項６５】
第１のワイヤレス端末から受け取った送信バックログ情報を記憶するメモリ手段をさらに具備し、
前記記憶された送信バックログ情報は、第１のワイヤレス端末から前記基地局に送信されるのを待っているデータの量を示し、
前記スケジューリング手段は、前記メモリモジュール中に記憶されている受け取ったバックログ情報の関数として、前記第１のワイヤレス端末に対するワイヤレス端末アップリンク送信をスケジューリングする請求項６４記載の基地局。
【請求項６６】
第１のワイヤレス端末から受け取って記憶させた遅延情報は、前記第１のワイヤレス端末における第１の送信キューに対応している遅延情報を含む請求項６５記載の基地局。
【請求項６７】
第１のワイヤレス端末から受け取って記憶させた遅延情報は、前記第１のワイヤレス端末における第２の送信キューに対応している遅延情報をさらに含み、
前記スケジューリング手段は、前記第１および第２のキューの両方に対応している記憶された遅延情報の関数として、ワイヤレス端末アップリンク送信をスケジューリングする請求項６６記載の基地局。
【請求項６８】
第１のワイヤレス端末から受け取って記憶させた遅延情報は、最大キュー待ち遅延を含み、
前記最大キュー待ち遅延は、送信されるのを待っているデータが待っている時間の最大量を示している前記請求項６５記載の基地局。
【請求項６９】
第１のワイヤレス端末から受け取って記憶させた遅延情報は、送信デッドラインに対する最小遅延を含む請求項６５記載の基地局。
【請求項７０】
方法を実現するために基地局を制御するための機械実行可能な命令が組み込まれているコンピュータ読取可能な媒体において、
前記方法は、
第１のワイヤレス端末から遅延情報を受け取ることと、
前記受け取った遅延情報の関数として、前記第１のワイヤレス端末に対するワイヤレス端末アップリンク送信をスケジューリングすることとを含み、
遅延情報は、前記第１のワイヤレス端末によって送信されるのを待っているデータに対応しているコンピュータ読取可能な媒体。
【請求項７１】
少なくとも１つの付加的なワイヤレス端末から付加的な遅延情報を受け取るための機械実行可能な命令がさらに組み込まれ、
少なくとも１つの付加的なワイヤレス端末から受け取った付加的な遅延情報は、少なくとも１つの付加的なワイヤレス端末によって送信されるのを待っているデータに対応し、
前記第１のワイヤレス端末に対するワイヤレス端末アップリンク送信のスケジューリングは、前記受け取った付加的な遅延情報の関数としても実行される請求項７０記載のコンピュータ読取可能な媒体。
【請求項７２】
第１のワイヤレス端末から送信バックログ情報を受け取るための機械実行可能な命令がさらに組み込まれ、
前記送信バックログ情報は、前記第１のワイヤレス端末から前記基地局に送信されるのを待っているデータの量を示し、
前記第１のワイヤレス端末に対するワイヤレス端末アップリンク送信のスケジューリングは、前記受け取ったバックログ情報の関数としても実行される請求項７１記載のコンピュータ読取り可能な媒体。
【請求項７３】
第１のワイヤレス端末から受け取った遅延情報は、前記第１のワイヤレス端末における第１の送信キューに対応している遅延情報を含む請求項７２記載のコンピュータ読取可能な媒体。
【請求項７４】
第１のワイヤレス端末から受け取った遅延情報は、前記第１のワイヤレス端末における第２の送信キューに対応している遅延情報をさらに含み、
コンピュータ読取可能な媒体には、
前記第１および第２の両方のキューに対応している遅延情報を使用して、前記ワイヤレス端末アップリンク送信のスケジューリングを少なくともある時点で実行するための機械実行可能な命令がさらに組み込まれている請求項７３記載のコンピュータ読取り可能な媒体。
【請求項７５】
デバイスにおいて、
第１のワイヤレス端末から遅延情報を受け取り、
前記受け取った遅延情報の関数として、前記第１のワイヤレス端末に対するワイヤレス端末アップリンク送信をスケジューリングするように構成されているプロセッサを具備し、
遅延情報は、前記第１のワイヤレス端末によって送信されるのを待っているデータに対応しているデバイス。
【請求項７６】
前記プロセッサは、
少なくとも１つの付加的なワイヤレス端末から付加的な遅延情報を受け取るようにさらに構成され、
少なくとも１つの付加的なワイヤレス端末から受け取った付加的な遅延情報は、少なくとも１つの付加的なワイヤレス端末によって送信されるのを待っているデータに対応し、
前記プロセッサは、
前記受け取った付加的な遅延情報の関数として、前記第１のワイヤレス端末に対するワイヤレス端末アップリンク送信のスケジューリングを実行されるように構成されている請求項７５記載のデバイス。
【請求項７７】
前記プロセッサは、
第１のワイヤレス端末から送信バックログ情報を受け取り、
前記受け取ったバックログ情報の関数として、前記第１のワイヤレス端末に対するワイヤレス端末アップリンク送信のスケジューリングを実行するようにさらに構成され、
前記送信バックログ情報は、第１のワイヤレス端末から前記基地局に送信されるのを待っているデータの量を示している請求項７６記載のデバイス。
【請求項７８】
第１のワイヤレス端末から受け取った遅延情報は、前記第１のワイヤレス端末における第１の送信キューに対応している遅延情報を含む請求項７７記載のデバイス。
【請求項７９】
第１のワイヤレス端末から受け取った遅延情報は、前記第１のワイヤレス端末における第２の送信キューに対応している遅延情報をさらに含み、
プロセッサは、
前記第１および第２のキューの両方に対応している遅延情報を使用して、前記ワイヤレス端末アップリンク送信のスケジューリングを少なくともある時点で実行するようにさらに構成されている請求項７８記載のデバイス。
【発明の詳細な説明】
【発明の分野】
【０００１】
本発明は、ワイヤレス通信の方法および装置に関する。さらに詳細に説明すると、遅延情報の決定、伝達、および／または使用に関連する方法および装置に関する。
【背景】
【０００２】
無線リンクリソースについて競争しているワイヤレス端末に対する無線リンクリソースを基地局がスケジューリングする多元接続ワイヤレス通信システムでは、異なるワイヤレス端末は、別々の時間に異なるニーズがあるかもしれない。ワイヤレス端末のリソースのニーズは、アプリケーションのタイプや、サービス品質の要求条件や、キュー待ちされるバックログや、ワイヤレス端末によって送信されるべきデータ／情報がキュー中で待っている時間や、および／またはデータ／情報の待ち時間の要求条件等の関数に応じて変わるかもしれない。ワイヤレスによって基地局に報告される、ワイヤレス端末についての制御情報によって、基地局のスケジューラは、ワイヤレス端末のニーズを特徴付けたり、無線リンクリソースについて競争している、例えば、アップリンクトラフィックチャネルセグメントについて競争している他のワイヤレス端末のニーズに対して、そのワイヤレス端末のニーズを重み付けすることができる。一般的に、ワイヤレス端末によって送信されるのを待っているデータ／情報の中には、遅延感応性があるデータ／情報がある。これは例えば、音声トラフィックや、ゲーミングトラフィック等がある。遅延情報の決定、レポート、伝達および／または使用が方法および装置に提供された場合に有益である。遅延感応性がある情報、例えば、アップリンク送信バックログに関係する遅延感応性がある情報を受け取る基地局は、スケジューリングを行う際にこのような知識から利益を得る。さらに効果的なスケジューリング方法および装置によって、ユーザに対する、よりよいサービス品質、より高いユーザ満足、および／または、より高い全体的な処理量につながることが可能である。
【概要】
【０００３】
さまざまな実施形態は、遅延情報の決定、伝達、および／または使用することに関するワイヤレス通信方法および装置に向けられている。例えば、遅延情報は、ワイヤレス端末において送信されるのを待っているアップリンクトラフィックに対応していてもよい。すなわち、遅延情報は、ワイヤレス端末によって決定され、基地局に伝達され、ここで、受け取った遅延情報は、無線リンクリソース、例えば、アップリンクトラフィックチャネルセグメントをより効率的にスケジューリングするために使用される。
【０００４】
さまざまな実施形態は、ワイヤレス端末を動作させる方法に向けられている。この方法は、送信されるべきデータに対応している遅延情報を決定することと、前記決定された遅延情報のうちの少なくともいくつかを基地局に伝達することとを含む。いくつかのこのような実施形態では、遅延情報を決定することは、最大キュー待ち遅延を決定することを含み、前記最大キュー待ち遅延は、送信されるべきデータが送信されるのを待っている時間の最大量を示している。
【０００５】
いくつかの実施形態は、ワイヤレス端末、例えば、移動体ノードのような装置に向けられている。この装置は、送信されるべきデータに対応している遅延情報を決定する送信遅延決定モジュールと、前記遅延決定モジュールによって決定される少なくとも１つのいくつかの遅延情報を送信するワイヤレス送信機モジュールとをさらに含む。いくつかのこのようなワイヤレス端末は、送信されるべきデータを記憶する第１の送信キューと、前記決定された遅延情報を含んでいるキュー統計情報を含むメモリとを含む。前記決定された遅延情報は、第１の送信キュー中のデータ／情報がワイヤレス端末によって送信されるのを待っている時間の第１の最大量を示している第１の最大キュー待ち遅延を含んでいる。
【０００６】
１つ以上のワイヤレス端末に伝達される遅延情報を利用する基地局の動作の方法は、いくつかの実施形態において使用される。例示的な基地局の動作の方法は、第１のワイヤレス端末から遅延情報を受け取ることと、前記受け取った遅延情報の関数として、前記第１のワイヤレス端末に対するワイヤレス端末アップリンク送信をスケジューリングすることとを含む。遅延情報は、前記第１のワイヤレス端末によって送信されるのを待っているデータに対応している。いくつかのこのような例示的な方法は、少なくとも１つの付加的なワイヤレス端末から付加的な遅延情報を受け取るように基地局を動作させることをさらに含む。少なくとも１つの付加的なワイヤレス端末から受け取った付加的な遅延情報は、少なくとも１つの付加的なワイヤレス端末によって送信されるのを待っているデータに対応している。前記第１のワイヤレス端末に対するワイヤレス端末アップリンク送信のスケジューリングは、前記受け取った付加的な遅延情報の関数としても実行される。例として、さまざまな実施形態にしたがった基地局は、第１のワイヤレス端末から遅延情報を受け取るためのワイヤレス受信機と、前記受け取った遅延情報の関数として、前記基地局に対するワイヤレス端末アップリンク送信をスケジューリングするためのスケジューリングモジュールとを含む。遅延情報は、前記第１のワイヤレス端末によって送信されるのを待っているデータに対応している。
【０００７】
いくつかの実施形態では、キュー待ちされたアップリンクトラフィックに対応している決定された遅延情報は、アップリンク制御情報レポート中で伝達される。いくつかのタイプの制御情報レポートは、遅延情報のみを伝達するようなフォーマットを有する。他のタイプの制御情報レポートは、キューバックログカウント情報と、対応遅延情報とを伝えるようにフォーマット化される、例えば、一緒にコード化される。いくつかの実施形態は、遅延情報を伝達するための代替的なレポーティングシナリオに役立つ複数の異なる実行可能なレポート辞書を実現する。
【０００８】
上記の概要においてさまざまな実施形態について説明したが、必ずしも、すべての実施形態が同じ機能を含まないことや、上記で記述した機能のうちのいくつは必ずしも必要ないことを正しく認識すべきである。非常に多くのさらなる本発明の機能、実施形態および利益を詳細な説明において説明する。
【詳細な説明】
【０００９】
図１は、さまざまな実施形態にしたがって実現される例示的なワイヤレス通信システム１００の図である。例示的なワイヤレス通信システム１００は、例えば、直交周波数分割多重（ＯＦＤＭ）多元接続ワイヤレス通信システムである。
【００１０】
例示的なワイヤレス通信システム１００は、複数の基地局（基地局１ １０２、・・・基地局Ｍ １０４）を含む。各基地局（１０２、１０４）は、それぞれ、対応するワイヤレスカバレッジエリア（セル１ １０６、・・・セルＭ １０８）を有する。また、システム１００は、それぞれ、ネットワークリンク（１２０、１２２）を通して、基地局（１０２、１０４）に結合されているネットワークノード１１８を含む。ネットワークノード１１８はまた、リンク１２４を通して、他のネットワークノードおよび／またはインターネットにも結合されている。ネットワークリンク（１２０、１２２、１２４）は、例えば、光ファイバーリンクである。システム１００はまた、複数のセクタを持つセルおよび／または複数の搬送波を使用するセルを含んでいてもよい。
【００１１】
また、システム１００は、複数のワイヤレス端末を含む。ワイヤレス端末のうちの少なくともいくつかは、通信システムにわたって移動してもよい移動体ノードである。図１では、ワイヤレス端末（ＷＴ１ １１０、ＷＴＮ １１２）が、セル１ １０６中に位置し、それぞれ、ワイヤレスリンク（１２６、１２８）を通して、基地局１１０２に結合されている。図１では、ワイヤレス端末（ＷＴ１’１１４、ＷＴＮ’１１６）が、セルＭ１０８中に位置し、ワイヤレスリンク（１３０、１３２）を通して、それぞれ、基地局Ｍ１０４に結合されている。さまざまな実施形態にしたがって、ワイヤレス端末のうちの少なくともいくつかが、基地局に送信されるべきデータに対応している遅延情報を伝達する。さまざまな実施形態にしたがって、基地局は、ワイヤレス端末から受け取った遅延情報の関数として、アップリンク無線リンクリソース、例えば、アップリンクトラフィックチャネルセグメントのスケジューリングを実行する。
【００１２】
図２は、さまざまな実施形態にしたがった例示的なワイヤレス端末２００、例えば、移動体ノードの図である。例示的なワイヤレス端末２００は、図１のシステム１００の例示的なワイヤレス端末（１１０、１１２、１１４、１１６）のうちの任意のものであってもよい。
【００１３】
ワイヤレス端末２００は、バス２１２を通して互いに結合された、受信機モジュール２０２と、送信機モジュール２０４と、プロセッサ２０６と、ユーザＩ／Ｏデバイス２０８と、メモリ２１０とを含み、バス２１０を通してさまざまな構成部品がデータおよび情報を交換する。メモリ２１０は、ルーチン２１４とデータ／情報２１６とを含む。プロセッサ２０６、例えば、ＣＰＵは、ルーチン２１４を実行し、メモリ２１０中のデータ／情報２１６を使用して、ワイヤレス端末２００の動作を制御し、方法を実現する。
【００１４】
受信機モジュール２０２、例えば、ＯＦＤＭ受信機は、受信アンテナ２０３に結合されており、受信アンテナ２０２を通して、通信デバイス２００は、ダウンリンク信号を受け取る。ダウンリンク信号は、アップリンク通信リソースの割当、例えば、アップリンクトラフィックチャネルセグメントの割当を含む割当信号を含む。送信機モジュール２０４、例えば、ＯＦＤＭ送信機は、送信アンテナ２０５に結合されており、送信アンテナ２０５を通して、ワイヤレス端末２００は基地局にアップリンク信号を送信する。アップリンク信号は、例えば、遅延情報レポート、バックログ情報レポート、および／またはジョイント遅延／バックログ情報レポートを含む制御情報レポートを含む。アップリンク信号は、送信キューからのパケットの情報を伝えるアップリンクトラフィックチャネルセグメント信号も含む。送信機モジュール２０４は、送信遅延決定モジュール２１８によって決定される少なくともいくつかの遅延情報を送信する。実施形態の中には、送信機モジュール２０４は、第１および第２の送信キューに対応している第１および第２の最大キュー待ち遅延を基地局に送信するものもある。いくつかの実施形態では、受信機および送信機に対して、同じアンテナが使用される。
【００１５】
例えば、マイクロフォン、キーパット、キーボード、マウス、スイッチ、カメラ、スピーカ、ディスプレイ等のユーザＩ／Ｏデバイス２０８によって、ワイヤレス端末２００のユーザがデータ／情報を入力したり、出力データ／情報にアクセスしたりすることができる。また、ユーザＩ／Ｏデバイス２０８によって、ワイヤレス端末のうちの少なくともいくつかの機能をワイヤレス端末２００のユーザが制御することができる。
【００１６】
ルーチン２１４は、送信遅延決定モジュール２１８と、キュー管理モジュール２２０と、送信制御モジュール２２２と、バックログ情報発生モジュール２２４と、コーディングモジュール２２６とを含む。送信遅延決定モジュール２１８は、送信されるべきデータに対応している遅延情報を決定する。キュー管理モジュール２２０は、１つ以上の送信キューを管理する。データに、例えば、パケットに関係するキュー待ち遅延がデータに関係する最大しきい値、例えば、新鮮でないか否かのしきい値を超えた場合、キュー管理モジュール２２０の動作は、データを、例えば、パケットを送信キューから欠落させることを含む。送信制御モジュール２２２は、最大キュー待ち遅延情報を送信する送信機モジュール２０４を制御する。実施形態の中には、第２の最大キュー待ち遅延よりも、より頻繁に第１の最大キュー待ち遅延を送信するように、送信制御モジュール２２２が送信機２０４を制御するものもある。例えば、送信キュー１ ２２８に対応している最大キュー待ち遅延２４６が、送信キューＮ ２３０に対応している最大キュー待ち遅延２５０よりも、より頻繁に送信されるように制御される。
【００１７】
バックログ情報発生モジュール２２４は、送信されるのを待っているデータの量を示している情報、例えば、キュー１バックログカウント情報２４８を発生させる。また、バックログ情報発生モジュール２２４は、キューバックログカウント情報、例えば、キュー１バックログカウント情報２４８を使用して、バックログレポート情報２６２に対応しているバックログレポートを発生させる。コーディングモジュール２２６は、バックログ情報、例えば、送信されるべきデータのフレームカウントと遅延情報とを一緒にコーディングすることを含むコーディング動作を実行する。例えば、コーディングモジュール２２６が、第１の最大キュー待ち遅延２４６とキュー１バックログカウント情報２４８とを一緒に、レポート情報２６４に対応しているアップリンク制御情報レポートに対してコード化する。
【００１８】
データ／情報２１６は、１つ以上の送信キュー（送信キュー１ ２２８、・・・、送信キューＮ ２３０）と、キュー統計情報２３２と、欠落させるべきパケットを識別する情報２５４と、遅延送信レート情報２５６と、キューをトラフィックフローのタイプに関係付ける情報２５８と、遅延レポート情報２６０と、バックログレポート情報２６２と、一緒にコード化された遅延およびバックログ情報を含むレポート情報２６４と、チャネル構造情報２６６と、制御レポートのフォーマット情報２６８とを含む。
【００１９】
送信キュー（２２８、２３０）は、ワイヤレス端末によって送信されるべきデータを記憶している。送信キュー１ ２２８は、複数のパケット（パケット１情報２３４、・・・、パケットｎ情報２３６）を含む。送信キューＮ ２３０は、複数のパケット（パケット１情報２３８、・・・、パケットｍ情報２４０）を含む。キュー統計情報２３２は、対応送信キューに対する１つ以上の組の決定された遅延情報（送信キュー１に対する決定された遅延情報２４２、・・・、送信キューＮに対する決定された遅延情報２４４）を含む。送信キュー１に対する決定された遅延情報２４２は、第１の最大キュー待ち遅延２４６と送信キュー１バックログカウント情報２４８、例えば、送信キュー１に対するバックログのフレームカウントとを含む。送信キューＮに対する決定された遅延情報２４２は、第Ｎの最大キュー待ち遅延２５０と、送信キューＮバックログカウント情報２５２、例えば、送信キューＮに対するバックログのフレームカウントとを含む。
【００２０】
第１の最大キュー待ち遅延２４６は、第１の送信キュー２２８中のパケットがワイヤレス端末２００によって送信されるのを待っている時間の最大量を示している。同様に、第Ｎの最大キュー待ち遅延２５０は、第Ｎの送信キュー２３０中のパケットがワイヤレス端末２００によって送信されるのを待っている時間の最大量を示している。キュー１ バックログ情報２４８は、送信キュー１ ２２８に対応しているバックログの量、例えば、バックログのフレームの数、例えば、バックログのＭＡＣフレームの数を示している。キューＮバックログ情報２５２は、送信キューＮ ２３０に対応しているバックログの量、例えば、バックログのフレームの数、例えば、バックログのＭＡＣフレームの数を示している。
【００２１】
いくつかの実施形態において、少なくともいくつかの異なる送信キューは、異なるトラフィックフローに対応している。情報２５８は、キューをトラフィックのタイプに関係付ける。例えば、１つの例示的な実施形態では、送信キュー１ ２２８は音声トラフィックフローに関係付けられ、送信キューＮ ２３０は非音声トラフィックフロー、例えば、ゲーミングまたは他のインターラクティブトラフィックフローに関係付けられる。
【００２２】
欠落させるべきパケットを識別する情報２５４は、キュー管理モジュール２２０の出力であり、送信キューを更新するために使用される。例えば、管理モジュール２２０が、情報２５４に基づいて送信キュー１ ２２８を更新する。遅延送信レート情報２５６、例えば、伝達する遅延情報制御レポートに、および／または、遅延情報を含むバックログレポートに対応しているスケジューリング情報は、異なるキューに対応している遅延情報の伝達を制御するために送信制御モジュール２２２によって使用される。遅延レポート情報２６０は、例えば、専用制御チャネルレポーティング構造中のワイヤレス端末２００発生遅延情報レポートに対応している情報である。バックログレポート情報２６２は、例えば、専用制御チャネルレポーティング構造中のワイヤレス端末２００発生バックログレポートに対応している情報である。一緒にコード化された遅延情報とバックログ情報とを含むレポート情報２６４、例えば、コーディングモジュール２２６の出力は、例えば、専用制御チャネルレポーティング構造において、遅延情報およびバックログ情報の両方を伝える制御情報レポートを表現する。
【００２３】
チャネル構造情報２６６は、例えば、遅延情報および／またはバックログ情報を伝達するために、繰り返し構造での位置を識別するアップリンク専用制御チャネル構造情報を含む。図１０、１１および１２は、チャネル制御構造情報の一部として含まれてもよい例示的な情報を含む。制御レポートのフォーマット情報２６８は、遅延情報レポートと、バックログ情報レポートと、遅延／バックログレポートを組み合わせたものとを含む制御情報レポートに対応しているビットマッピング定義情報を含む。図１３、１４、１５、１７、１８、１９、２０、２１、２２、２３、２４、２５、２６および２７は、いくつかの例示的なレポーティングフォーマットを提供している。例えば、図１３は、最大遅延情報を伝達するレポートのフォーマットを説明している。さまざまな実施形態において、数々の変形のレポーティングフォーマットが実行可能であり、使用されてもよい。例えば、特定のレポーティングフォーマットは、送信デッドラインまでの最小遅延の代わりに最大遅延情報を伝えてもよく、実施形態の中には、伝えるものもある。フォーマットの中には、異なって指定された送信キュー、要求グループまたは送信ストリームに関係する遅延ならびに／あるいはバックログの情報を伝えるものもあり、この情報は、例えば、送信キュー、要求グループ、または送信ストリーム（１、２、３、４）にそれぞれ関係する、フレームカウント情報（Ｎ［１］、Ｎ［２］、Ｎ［３］、Ｎ［４］）ならびに／あるいは遅延情報（Ｄｅｌａｙ［１］、Ｄｅｌａｙ［２］、Ｄｅｌａｙ［３］、Ｄｅｌａｙ［４］）のようなものである。実施形態の中には、異なる送信キュー、要求グループ、または送信ストリームについての情報、例えば、以下の予め定められたパターンを伝えるレポーティングを交替で行うものもある。フォーマットの中には、遅延情報ならびに／あるいはバックログ情報が対応する、関係する送信キュー、要求グループ、または送信ストリームを識別する情報を伝えるものもある。フォーマットの中には、同一のレポートスロット中で、異なる送信キュー、要求グループ、または送信ストリームについて報告する機会をサポートするものもある。フォーマットの中には、ワイヤレス端末に対する集約遅延および／またはバックログ情報を伝えるものもある。
【００２４】
図３は、さまざまな実施形態にしたがった例示的なワイヤレス端末３００、例えば、移動体ノードの図である。例示的なワイヤレス端末３００は、図１のシステム１００の例示的なワイヤレス端末（１１０、１１２、１１４、１１６）のうちの任意のものであってもよい。
【００２５】
ワイヤレス端末３００は、バス３１２を通して互いに結合された、受信機モジュール３０２と、送信機モジュール３０４と、プロセッサ３０６と、ユーザＩ／Ｏデバイス３０８と、メモリ３１０とを具備し、バス３１２を通してさまざまな構成部品がデータおよび情報を交換する。メモリ３１０は、ルーチン３１４とデータ／情報３１６とを含む。プロセッサ３０６、例えば、ＣＰＵは、ルーチン３１４を実行し、メモリ３１０中のデータ／情報３１６を使用して、ワイヤレス端末３００の動作を制御し、方法を実現する。
【００２６】
受信機モジュール３０２、例えば、ＯＦＤＭ受信機は、ワイヤレス端末３００がダウンリンク信号を受け取る受信アンテナ３０３に結合されている。ダウンリンク信号は、アップリンク通信リソースの割当、例えば、アップリンクトラフィックチャネルセグメントの割当を含む割当信号を含む。送信機モジュール３０４、例えば、ＯＦＤＭ送信機は、送信アンテナ３０５に結合されており、送信アンテナ３０５を通して、ワイヤレス端末３００は基地局にアップリンク信号を送信する。アップリンク信号は、例えば、遅延情報レポート、バックログ情報レポート、および／または、ジョイント遅延／バックログ情報レポートを含む、制御情報レポートを含む。アップリンク信号はまた、送信キューからのパケットの情報を伝えるアップリンクトラフィックチャネルセグメント信号を含む。送信機モジュール３０４は、送信遅延決定モジュール３１８によって決定される少なくともいくつかの遅延情報を送信する。実施形態の中には、送信機モジュール３０４は、第１および第２の送信キューに対応している送信デッドラインまでの第１および第２の最小遅延を基地局に送信するものもある。いくつかの実施形態では、受信機および送信機に対して、同じアンテナが使用される。
【００２７】
例えば、マイクロフォン、キーパット、キーボード、マウス、スイッチ、カメラ、スピーカ、ディスプレイ等のユーザＩ／Ｏデバイス３０８によって、ワイヤレス端末３００のユーザがデータ／情報を入力したり、出力データ／情報にアクセスしたりすることができる。また、ユーザＩ／Ｏデバイス３０８によって、ワイヤレス端末のうちの少なくともいくつかの機能をワイヤレス端末３００のユーザが制御することができる。
【００２８】
ルーチン３１４は、送信遅延決定モジュール３１８と、キュー管理モジュール３２０と、送信制御モジュール３２２と、バックログ情報発生モジュール３２４と、コーディングモジュール３２６とを含む。送信遅延決定モジュール３１８は、送信されるべきデータに対応している遅延情報を決定する。前記遅延情報は、少なくとも、送信デッドラインまでの最小遅延を含む。キュー管理モジュール３２０は、１つ以上の送信キューを管理する。送信デッドラインまでに第１の送信キューから送信されたデータがなかった場合、キュー管理モジュール３２０の動作は、第１の送信キューからのデータ、例えば、パケットを欠落させることを含む。送信制御モジュール３２２は、送信デッドラインまでの最小遅延情報を送信するように送信機モジュール３０４を制御する。実施形態の中には、送信デッドラインまでの第２の最小遅延よりも、より頻繁に、送信デッドラインまでの第１の最小遅延を送信するように送信機３０４を送信制御モジュール３２２が制御するものもある。例えば、送信キュー１ ３２８に対応している送信デッドラインまでの最小遅延３４６は、送信キューＮ ３３０に対応している送信デッドライン３５０までの最小遅延よりも、より頻繁に送信されるように制御される。
【００２９】
バックログ情報発生モジュール３２４は、送信されるのを待っているデータの量を示している情報、例えば、キュー１バックログカウント情報３４８を発生させる。バックログ情報発生モジュール３２４はまた、キューバックログカウント情報、例えば、キュー１バックログカウント情報３４８を使用して、バックログレポート情報３６２に対応しているバックログレポートを発生させる。コーディングモジュール３２６は、バックログ情報、例えば、送信されるべきデータのフレームカウントと遅延情報とを一緒にコーディングすることを含むコーディング動作を実行する。例えば、コーディングモジュール３２６は、送信デッドラインまでの第１の最小遅延３４６とキュー１バックログカウント情報３４８とを、レポート情報３６４に対応しているアップリンク制御情報レポートに対して一緒にコード化する。
【００３０】
データ／情報３１６は、１つ以上の送信キュー（送信キュー１ ３２８、・・・、送信キューＮ ３３０）と、キュー統計情報３３２と、欠落させるべきパケットを識別する情報３５４と、遅延送信レート情報３５６と、キューをトラフィックフローのタイプに関係付ける情報３５８と、遅延レポート情報３６０と、バックログレポート情報３６２と、一緒にコード化された遅延およびバックログ情報を含むレポート情報３６４と、チャネル構造情報２６６と、制御レポートのフォーマット情報３６８とを含む。
【００３１】
送信キュー（３２８、３３０）は、ワイヤレス端末によって送信されるべきデータを記憶する。送信キュー１ ３２８は、複数のパケット（パケット１情報３３４、・・・、パケットｎ情報３３６）を含む。送信キューＮ ３３０は、複数のパケット（パケット１情報３３８、・・・、パケットｍ情報３４０）を含む。キュー統計情報３３２は、対応する送信キューに対する１つ以上の組の決定された遅延情報（送信キュー１に対する決定された遅延情報３４２、・・・、送信キューＮに対する決定された遅延情報３４４）を含む。送信キュー１に対する決定された遅延情報３４２は、送信デッドラインまでの第１の最小遅延３４６と、送信キュー１バックログカウント情報３４８、例えば、送信キュー１に対するバックログのフレームカウントとを含む。送信キューＮに対する決定された遅延情報３４２は、送信デッドラインまでの第Ｎの最小遅延３４６と、送信キューＮバックログカウント情報３５２、例えば、送信キューＮに対するバックログのフレームカウントとを含む。
【００３２】
送信デッドラインまでの第１の最小遅延３４６は、第１のデータ、例えば、パケット送信デッドラインまでの第１の最小遅延であり、前記第１の最小遅延は、ワイヤレス端末によって送信されるべきデータであって、第１の送信キュー３２８中で待っているデータに対応している。同様に、送信デッドラインまでの第Ｎの最小遅延３５０は、第Ｎのデータ、例えば、パケット送信デッドラインまでの第Ｎの最小遅延であり、前記送信デッドラインまでの第Ｎの最小遅延は、ワイヤレス端末によって送信されるべきデータであって、第Ｎの送信キュー３３０中で待っているデータに対応している。キュー１ バックログ情報３４８は、送信キュー１ ３２８に対応しているバックログの量、例えば、バックログのフレームの数、例えば、バックログのＭＡＣフレームの数を示している。キューＮバックログ情報３５２は、送信キューＮ ３３０に対応しているバックログの量、例えば、バックログのフレームの数、例えば、バックログのＭＡＣフレームの数を示している。
【００３３】
実施形態の中には、少なくともいくつかの異なる送信キューが、異なるトラフィックフローに対応しているものもある。情報３５８は、キューをトラフィックのタイプと関係付ける。例えば、１つの例示的な実施形態では、送信キュー１ ３２８は音声トラフィックフローに関係付けられ、送信キューＮ ３３０は非音声トラフィックフロー、例えば、ゲーミングまたは他のインターラクティブトラフィックフローに関係付けられる。
【００３４】
欠落させるべきパケットを識別する情報３５４は、キュー管理モジュール３２０の出力であり、送信キューを更新するために使用される。例えば、管理モジュール３２０が、情報３５４に基づいて送信キュー１ ３２８を更新する。遅延送信レート情報３５６、例えば、伝達する遅延情報制御レポートおよび／または遅延情報を含むバックログレポートは、異なるキューに対応している遅延情報の伝達を制御するために、送信制御モジュール３２２によって使用される。遅延レポート情報３６０は、例えば、専用制御チャネルレポーティング構造において、ワイヤレス端末３００発生遅延情報レポートに対応している情報である。バックログレポート情報３６０は、例えば、専用制御チャネルレポーティング構造において、ワイヤレス端末３００発生バックログレポートに対応している情報である。一緒にコード化された遅延およびバックログ情報を含むレポート情報３６４、例えば、コーディングモジュール３２６の出力は、例えば、専用制御チャネルレポーティング構造において、遅延情報およびバックログ情報の両方を伝える制御情報レポートを表現する。
【００３５】
チャネル構造情報３６６は、例えば、遅延情報および／またはバックログ情報を伝達するために、繰り返し構造中で位置を識別するアップリンク専用制御チャネル構造情報を含む。図１０、１１および１２は、チャネル制御構造情報の一部として含まれていてもよい例示的な情報を含む。制御レポートのフォーマット情報３６８は、遅延情報レポートと、バックログ情報レポートと、遅延／バックログのレポートを組み合わせたものとを含む、制御情報レポートに対応しているビットマッピング定義情報を含む。図１３、１４、１５、１７、１８、１９、２０、２１、２２、２３、２４、２５、２６および２７は、いくつかの例示的なレポーティングフォーマットを提供している。例えば、図１４は、送信デッドライン情報までの最小遅延を伝達するレポートのフォーマットを説明している。さまざまな実施形態において、多くの変形のレポーティングフォーマットが実行可能であり、使用されてもよい。例えば、特定のレポーティングフォーマットは、最小キュー待ち遅延の代わりに、送信デッドライン情報までの最小遅延を伝えてもよく、実施形態の中には、伝えるものもある。フォーマットの中には、異なって指定された送信キュー、要求グループ、または送信ストリームに関係する、遅延ならびに／あるいはバックログの情報を伝えるものもあり、この情報は、例えば、送信キュー、要求グループまたは送信ストリーム（１、２、３、４）にそれぞれ関係する、フレームカウント情報（Ｎ［１］、Ｎ［２］、Ｎ［３］、Ｎ［４］）ならびに／あるいは遅延情報（Ｄｅｌａｙ［１］、Ｄｅｌａｙ［２］、Ｄｅｌａｙ［３］、Ｄｅｌａｙ［４］）のようなものである。実施形態の中には、異なる送信キュー、要求グループ、または送信ストリームについての情報、例えば、以下の予め定められたパターンを伝えるレポーティングを交替で行うものもある。フォーマットの中には、関係する送信キュー、遅延情報および／またはバックログ情報が、対応する要求グループまたは送信ストリームを識別する情報を伝えるものもある。フォーマットの中には、同一のレポートスロット中で、異なる送信キュー、要求グループまたは送信ストリームについて報告する機会をサポートするものもある。フォーマットの中には、ワイヤレス端末に対する集約遅延および／またはバックログ情報を伝えるものもある。
【００３６】
図４は、さまざまな実施形態にしたがった例示的な基地局４００の図である。例示的な基地局４００は、図１の例示的なシステム１００の例示的な基地局（１０２、１０４）のうちの任意のものであってもよい。
【００３７】
基地局４００は、バス４１６によって互いに結合された、受信機モジュール４０４と、送信機モジュール４０８と、プロセッサ４１０と、Ｉ／Ｏインターフェース４１２と、メモリ４１４とを具備し、バス４１６を通して、さまざまな構成部品がデータおよび情報を交換してもよい。メモリ４１４は、ルーチン４１８とデータ／情報４２０とを含む。プロセッサ４１０、例えば、ＣＰＵは、ルーチン４１８を実行し、メモリ４１４中のデータ／情報４２０を使用して、基地局４００の動作を制御し、方法を実現する。
【００３８】
受信機モジュール４０４、例えば、ＯＦＤＭ受信機は、受信アンテナ４０２に結合されており、受信アンテナ４０２を通して、基地局４００が複数のワイヤレス端末からアップリンク信号を受け取る。アップリンク信号は、例えば、遅延情報レポート、バックログ情報レポート、および／または、一緒にコード化された遅延およびバックログ情報を含むレポートのような、制御情報レポートを含む。受信機モジュール４０４は、第１のワイヤレス端末から遅延情報を受け取り、遅延情報は、第１のワイヤレス端末によって送信されるのを待っているデータに対応している。また、少なくとも１つの付加的なワイヤレス端末から、少なくとも１つの付加的なワイヤレス端末によって送信されるのを待っているデータに対応している付加的な遅延情報も受信機モジュール４０４が受け取る。アップリンク信号はまた、ワイヤレス端末からの、ＷＴ送信キューデータを伝えるトラフィックチャネルセグメント信号を含む。
【００３９】
送信機モジュール４０８、例えば、ＯＦＤＭ送信機は、送信アンテナ４０６に結合されており、送信アンテナ４０６を通して、基地局は、ダウンリンク信号をワイヤレス端末に送信する。ダウンリンク信号は、ワイヤレス端末に対するアップリンクトラフィックチャネルセグメントの割当を伝える割当信号を含む。
【００４０】
Ｉ／Ｏインターフェース４１２は、例えば、他の基地局、ルータ、ＡＡＡノード、ホームエージェントノード等の他のネットワークノードに、および／または、インターネットに基地局４００を結合させる。Ｉ／Ｏインターフェース４１２は、基地局４００をバックホールネットワークに結合させることによって、異なる基地局のネットワークアタッチメントポイントとして異なる基地局を使用している別のワイヤレス端末との通信セッションに、基地局４００のアタッチメントポイントを使用するワイヤレス端末が参加できるようにする。
【００４１】
ルーチン４１８は、スケジューリングモジュール４２２と、制御レポート処理モジュール４２４と、割当信号発生モジュール４２６と、トラフィックチャネルセグメント処理モジュール４２８とを含む。スケジューリングモジュール４２２、例えば、スケジューラは、第１のワイヤレス端末に対応している受け取った遅延情報の関数として、前記第１のワイヤレス端末に対するワイヤレス端末アップリンク送信をスケジューリングする。実施形態の中には、スケジューリングモジュール４２２による前記第１のワイヤレス端末に対するアップリンク送信のスケジューリングが、少なくとも１つの付加的なワイヤレス端末に対応している受け取った付加的な遅延情報の関数として実行されるものもある。実施形態の中には、スケジューリングモジュール４２２による前記第１のワイヤレス端末に対するアップリンク送信のスケジューリングは、第１のワイヤレス端末から受け取ったバックログ情報の関数として実行されるものもある。また、実施形態の中には、スケジューリングモジュール４２２による前記第１のワイヤレス端末に対するアップリンク送信のスケジューリングは、第１のワイヤレス端末に対応している記憶されたサービス品質情報の関数として実行されるものもある。さらに、実施形態の中には、スケジューリングモジュール４２２による前記第１のワイヤレス端末に対するアップリンク送信のスケジューリングは、少なくとも１つの付加的なワイヤレス端末に対応している記憶されたサービス品質情報の関数として実行されるものもある。
【００４２】
実施形態の中には、第１のワイヤレス端末は第１および第２のキューを含み、第１および第２の両方のキューに対応している遅延情報は、受け取られ、記憶されるものもある。いくつかのこのような実施形態では、スケジューリングモジュール４２２は、第１および第２の両方のキューに対応している記憶された遅延情報の関数として、第１のワイヤレス端末に対するワイヤレス端末アップリンク送信をスケジューリングする。
【００４３】
さまざまな実施形態では、第１のワイヤレス端末の第１および第２の送信キューは、第１および第２のトラフィックフローに対応しており、第１のトラフィックフローは音声トラフィックフローであり、第２のトラフィックフローは非音声トラフィック、例えば、ゲーミング、または他のインターラクティブアップリンクトラフィックフローである。
【００４４】
制御レポート処理モジュール４２４は、受け取ったアップリンク制御情報レポート、例えば、遅延情報レポート、バックログ情報レポート、および／または一緒にコード化された遅延およびバックログ情報を伝える組み合わせレポートを処理して、伝達されている情報を、例えば、最大キュー待ち遅延、送信デッドラインまでの最小遅延、ならびに／あるいは、キューフレームカウントまたは以前のレポートに関するキューデルタフレームカウントのようなバックログ情報を回復する。
【００４５】
割当信号発生モジュール４２６は、スケジューリングモジュール４２２決定に応答して、識別されたワイヤレス端末に向けられたアップリンクトラフィックチャネルセグメント割当を伝える割当信号を発生させる。トラフィックチャネルセグメント処理モジュール４２８は、ワイヤレス端末からのアップリンクトラフィックチャネルセグメント信号を回復させ、回復された情報、例えば、ユーザデータのパケットを、セグメントに対応しているスケジュール化されたワイヤレス端末に関係付ける。
【００４６】
データ／情報４２０は、複数の組のワイヤレス端末データ／情報（ＷＴ１ データ／情報４３０、・・・、ＷＴ Ｎデータ／情報４３２）と、チャネル構造情報４３４と、制御レポートのフォーマット情報４３６とを含む。ＷＴ １データ／情報４３０は、受け取ったアップリンク制御レポート４３８と、遅延情報４４０と、受け取った送信バックログ情報４４２と、回復されたアップリンクトラフィックデータ／情報４４４と、割当情報４４６と、サービス品質情報４４８とを含む。実施形態の中には、基地局４００を使用している異なるワイヤレス端末のうちの少なくともいくつかは、ある間隔の間、異なるサービス品質レベルを有する。遅延情報４４０は、１つ以上の組の遅延情報（キュー１遅延情報４５０、・・・、キューＮ遅延情報４５２）を含む。キュー１遅延情報４５０は、ＷＴ１送信キュー１に対応している最大キュー待ち遅延４５４と、ＷＴ１送信キュー１に対応している送信デッドラインまでの最小遅延４５６とのうちの少なくとも１つを含む。最大キュー待ち遅延４５４は、送信されているのを待っているデータがＷＴ １の送信キュー１中で待っている時間の最大量を示している。キューＮ遅延情報４５２は、ＷＴ１送信キューＮに対応している最大キュー待ち遅延４５８と、ＷＴ１送信キューＮに対応している送信デッドライン４６０までの最小遅延とのうちの少なくとも１つを含む。受け取った送信バックログ情報４４２は、ＷＴ１によって基地局４００に送信されるのを待っているデータの量を示している。受け取った送信バックログ情報４４２は、キューバックログ情報（キュー１バックログ情報４６２、・・・、キューＮバックログ情報４６４）のうちの１つ以上のものを含む。例えば、キュー１バックログ情報４６２は、送信されるのを待っているＷＴ送信キュー１バックログを表現しているフレームカウントであり、キューＮバックログ情報４６４は、送信されるのを待っているＷＴ送信キューＮバックログを表現しているフレームカウントである。
【００４７】
受け取ったアップリンク制御レポート４３８は、ワイヤレス端末を特徴付けるために、基地局によって使用されるさまざまな制御情報レポートを含み、制御情報レポートは、例えば、遅延情報レポートや、アップリンクトラフィックチャネルリソースを要求するためのバックログ要求レポートや、バックログ／遅延レポートを組み合わせたものや、干渉レポートや、電力レポートや、自己雑音レポートや、ＳＮＲレポートである。チャネル構造情報４３４は、例えば、遅延情報および／またはバックログ情報を通信するために、繰り返し構造中で位置を識別するアップリンク専用制御チャネル構造情報を含む。実施形態の中には、同じワイヤレス端末の第２の送信キューに対応している遅延情報よりも、より高いレートで、ワイヤレス端末の第１の送信キューに対応している遅延情報が通信されるべきことを識別する情報をチャネル構造情報４３４が含むものもある。制御レポートのフォーマット情報４３６は、遅延情報レポートと、バックログ情報レポートと、組み合わせた遅延／バックログレポートとに対応しているビットマッピング定義情報を含む。
【００４８】
図５は、さまざまな実施形態にしたがってワイヤレス端末を動作させる例示的な方法のフローチャート５００の図である。動作は、ステップ５０２において開始し、ここで、ワイヤレス端末が、電源投入され、初期化されると、ステップ５０４に進む。ステップ５０４において、送信されるべきデータに対応している遅延情報をワイヤレス端末が決定する。ステップ５０４は、サブステップ５０６を含む。サブステップ５０６では、ワイヤレス端末が最大キュー待ち遅延を決定する。前記最大キュー待ち遅延は、送信されるべきデータが送信されるのを待っている時間の最大量を示している。いくつかの実施形態では、最大キュー待ち遅延を決定することは、複数の送信ストリームのそれぞれに対応している個々の最大キュー待ち遅延を決定することと、例えば、決定された最大キュー待ち遅延として、決定された個々の最大キュー待ち遅延のうちの最大のものを使用することによって、、決定された個々の最大キュー待ち遅延の関数として、最大キュー待ち遅延を決定することとを含むものもある。
【００４９】
実施形態の中には、複数の送信ストリームに対応している集約バックログ情報および／または条件ベース集約バックログ情報をワイヤレス端末が決定するものもある。
【００５０】
動作は、ステップ５０４から、代替ステップ５０８およびステップ５１０のうちの一方に進む。
【００５１】
ステップ５０８において、前記決定された遅延情報のうちの少なくともいくつかをワイヤレス端末が基地局に伝達する。ステップ５０８は、サブステップ５１４を含む。サブステップ５１４では、ワイヤレス通信リンクを通して送信される遅延情報レポート中で、ワイヤレス端末が前記最大キュー待ち遅延を送信する。動作は、ステップ５０８からステップ５１２に進む。ステップ５１２において、送信されるのを待っているデータの量を示しているバックログ情報をワイヤレス端末が伝達する。いくつかのこのような実施形態では、伝達されたバックログ情報が、複数の送信ストリームに対応している集約されたバックログ情報および／または条件ベース集約バックログ情報を含む。
【００５２】
代替ステップ５１０において、送信されるのを待っているデータの量を示しているバックログ情報をワイヤレス端末が伝達する。ステップ５１０は、サブステップ５１６および５１８を含む。サブステップ５１６では、送信されるべきデータのバックログ情報、例えば、フレームカウントと遅延情報とを一緒に、ワイヤレス端末がコード化する。いくつかの実施形態では、バックログ情報は、複数の送信ストリームに対応している集約されたバックログ情報および／または条件ベース集約バックログ情報を含むものもある。そして、サブステップ５１８では、ワイヤレス通信リンクを通して、一緒にコード化された情報をワイヤレス端末が送信する。
【００５３】
図６は、さまざまな実施形態にしたがってワイヤレス端末を動作させる例示的な方法のフローチャート６００の図である。動作は、ステップ６０２において開始し、ここで、ワイヤレス端末が、電源投入され、初期化されると、ステップ６０４に進む。ステップ６０４において、送信されるべきデータに対応している遅延情報をワイヤレス端末が決定する。ステップ６０４は、サブステップ６０６および６０８を含む。サブステップ６０６では、ワイヤレス端末が第１の最大キュー待ち遅延を決定する。前記第１の最大キュー待ち遅延は、第１の送信キュー中のデータ、例えば、パケットがワイヤレス端末によって送信されるのを待っている時間の最大期間である。サブステップ６０８では、ワイヤレス端末が第２の最大キュー待ち遅延を決定する。前記第２の最大キュー待ち遅延は、第２の送信キュー中のデータ、例えば、パケットがワイヤレス端末によって送信されるのを待っている時間の最大期間である。
【００５４】
いくつかの実施形態では、第１および第２の送信キューは、異なるトラフィックフローに対応している。いくつかのこのような実施形態では、第１の送信キューは音声トラフィックフローに対応し、第２の送信キューは非音声トラフィックフロー、例えば、ゲーミングトラフィックフローまたは他のインターラクティブトラフィックフローに対応している。動作は、ステップ６０４から代替ステップ６１０およびステップ６２０のうちの一方に進む。
【００５５】
ステップ６１０において、前記決定された遅延情報のうちの少なくともいくつかをワイヤレス端末が基地局に伝達する。ステップ６１０は、サブステップ６１６を含む。サブステップ６１６では、前記第１および第２の最大キュー待ち遅延をワイヤレス端末が基地局に伝達する。サブステップ６１６は、サブステップ６１８を含む。サブステップ６１８では、ワイヤレス通信リンクを通して送信される１つ以上の遅延情報レポート中で、前記第１および第２の最大キュー待ち遅延をワイヤレス端末が送信する。実施形態の中には、第１の最大キュー待ち遅延が、第２の最大キュー待ち遅延よりも、より頻繁に報告されるものもある。実施形態の中には、２つのキュー待ち遅延のうちの最大のものが報告されるものもある。動作は、ステップ６１０からステップ６１４に提供される。ステップ６１４において、送信されるのを待っているデータの量を示しているバックログ情報をワイヤレス端末が伝達する。
【００５６】
代替ステップ６１２において、送信されるのを待っているデータの量を示しているバックログ情報をワイヤレス端末が伝達する。ステップ６１２は、サブステップ６２０および６２２を含む。サブステップ６２０では、送信されるべきデータのバックログ情報、例えば、フレームカウントと遅延情報とを一緒に、ワイヤレス端末がコード化する。そして、サブステップ６２２では、ワイヤレス通信リンクを通して、一緒にコード化された情報をワイヤレス端末が送信する。実施形態の中には、第１の最大キュー待ち遅延が、第２の最大キュー待ち遅延よりも、より頻繁に報告されるものもある。
【００５７】
図７は、さまざまな実施形態にしたがってワイヤレス端末を動作させる例示的な方法のフローチャート７００の図である。動作は、ステップ７０２において開始し、ここで、ワイヤレス端末が、電源投入され、初期化されると、ステップ７０４に進む。ステップ７０４において、ワイヤレス端末が、送信されるべきデータに対応している遅延情報を決定し、前記遅延情報は、送信デッドラインに対する少なくとも最小遅延を含んでいる。いくつかの実施形態では、伝達されるべき送信デッドラインまでの最小遅延を決定することは、複数の送信ストリームのそれぞれに対応している送信デッドラインまでの個々の最小遅延を決定すること、例えば、送信デッドラインにまでの最小遅延として、考慮されている組の中から、決定されたデッドラインまでの個々の遅延のうちの最小のものを使用することによって、決定された個々の最小遅延の関数として、伝達されるべき送信デッドラインまでの最小遅延を決定することとを含む。
【００５８】
実施形態の中には、複数の送信ストリームに対応している、集約バックログ情報および／または条件ベース集約バックログ情報をワイヤレス端末が決定するものもある。
【００５９】
動作は、ステップ７０４から、代替ステップ７０６およびステップ７０８のうちの一方に進む。
【００６０】
ステップ７０６において、前記決定された遅延情報のうちの少なくともいくつかをワイヤレス端末が基地局に伝達する。ステップ７０６は、サブステップ７１２を含む。サブステップ７１２では、ワイヤレス通信リンクを通して送信される遅延情報レポート中で、前記決定された最小遅延をワイヤレス端末が送信する。動作は、ステップ７０６からステップ７１０に提供される。ステップ７１０において、送信されるのを待っているデータの量を示しているバックログ情報をワイヤレス端末が伝達する。いくつかのこのような実施形態では、伝達されたバックログ情報は、複数の送信ストリームに対応している、集約されたバックログ情報および／または条件ベース集約バックログ情報を含む。
【００６１】
代替ステップ７０８では、送信されるのを待っているデータの量を示しているバックログ情報をワイヤレス端末が伝達する。ステップ７０８は、サブステップ７１４および７１６を含む。サブステップ７１４では、送信されるべきデータのバックログ情報、例えば、フレームカウントと遅延情報とを一緒に、ワイヤレス端末がコード化する。いくつかの実施形態では、バックログ情報は、複数の送信ストリームに対応している、集約されたバックログ情報および／または条件ベース集約バックログ情報を含んでいる。そして、サブステップ７１６では、ワイヤレス通信リンクを通して、一緒にコード化された情報をワイヤレス端末が送信する。
【００６２】
図８は、さまざまな実施形態にしたがってワイヤレス端末を動作させる例示的な方法のフローチャート８００の図である。動作は、ステップ８０２において開始し、ここで、ワイヤレス端末が、電源投入され、初期化されると、ステップ８０４に進む。ステップ８０４において、送信されるべきデータに対応している遅延情報をワイヤレス端末が決定する。前記遅延情報は、送信デッドラインまでの最小遅延を少なくとも含んでいる。ステップ８０４は、サブステップ８０６および８０８を含む。サブステップ８０６では、第１の送信デッドライン、例えば、第１のパケット送信デッドラインまでの第１の最小遅延をワイヤレス端末が決定する。前記第１の最小遅延は、第１の送信キュー中で待っている、ワイヤレス端末によって送信されるべきデータに対応している。サブステップ８０８では、第２の送信デッドライン、例えば、第２のパケット送信デッドラインまでの第２の最小遅延をワイヤレス端末が決定する。前記第２の最小遅延は、第２の送信キュー中で待っている、ワイヤレス端末によって送信されるべきデータに対応している。
【００６３】
実施形態の中には、第１および第２の送信キューが、異なるトラフィックフローに対応しているものもある。いくつかのこのような実施形態では、第１の送信キューは音声トラフィックフローに対応し、第２の送信キューは非音声トラフィックフロー、例えば、ゲーミングトラフィックフローまたは他のインターラクティブトラフィックフローに対応している。動作は、ステップ８０４から、代替ステップ８１０および８１２のうちの一方に進む。
【００６４】
ステップ８１０において、前記決定された遅延情報のうちの少なくともいくつかをワイヤレス端末が基地局に伝達する。ステップ８１０は、サブステップ８１６を含む。サブステップ８１６では、前記第１および第２の最大キュー待ち遅延をワイヤレス端末が基地局に伝達する。サブステップ８１６は、サブステップ８１８を含む。サブステップ８１８では、ワイヤレス通信リンクを通して送信される１つ以上の遅延情報レポート中で、前記第１および第２の最小遅延をワイヤレス端末が送信する。実施形態の中には、第１の最小遅延が、第２の最小遅延よりも、より頻繁に報告されるものもある。実施形態の中には、２つの遅延のうちの最小のものが報告されるものもある。動作は、ステップ８１０からステップ８１４に提供される。ステップ８１４において、送信されるのを待っているデータの量を示しているバックログ情報をワイヤレス端末が伝達する。
【００６５】
代替ステップ８１２では、送信されるのを待っているデータの量を示しているバックログ情報をワイヤレス端末が伝達する。ステップ８１２は、サブステップ８２０および８２２を含む。サブステップ８２０では、送信されるべきデータのバックログ情報、例えば、フレームカウントと遅延情報とを一緒に、ワイヤレス端末がコード化する。そして、サブステップ８２２では、ワイヤレス通信リンクを通して、一緒にコード化された情報をワイヤレス端末が送信する。実施形態の中には、第１の最小遅延が、第２の最小遅延よりも、より頻繁に報告されるものもある。
【００６６】
動作は、ステップ８１４またはステップ８１２から、ステップ８２４に進み、ステップ８２４において、送信キューをワイヤレス端末が更新する。ステップ８２４は、場合によって実行されるサブステップ８２６および８２８を含む。サブステップ８２６では、第１の送信デッドラインまでに、第１の送信キューから送信されたデータがない場合に、少なくともいくつかのデータ、例えば、少なくとも１つのパケットを前記第１の送信キューからワイヤレス端末が欠落させる。サブステップ８２８では、第２の送信デッドラインまでに、第２の送信キューから送信されたデータがない場合に、少なくともいくつかのデータ、例えば、ワイヤレス端末が、少なくとも１つのパケットを前記第２の送信キューから欠落させる。
【００６７】
図９Ａ、図９Ｂおよび図９Ｃを組み合わせたものを含む図９は、さまざまな実施形態にしたがって基地局を動作させる例示的な方法のフローチャート９００の図である。例示的な方法は、ステップ９０２において開始し、ここで、基地局が、電源投入され、初期化されると、ステップ９０４および９０６に進む。
【００６８】
ステップ９０４において、基地局が、第１のワイヤレス端末から送信バックログ情報を受け取る。送信バックログ情報は、前記第１のワイヤレス端末から前記基地局に送信されるのを待っているデータの量を示している。ステップ９０４はサブステップ９０８を含み、実施形態の中には、サブステップ９１０を含むものもある。サブステップ９０８では、基地局が、第１のワイヤレス端末から第１の送信キューに対応している送信バックログを受け取る。サブステップ９１０では、基地局が、第１のワイヤレス端末から第２の送信キューに対応している送信バックログを受け取る。動作は、ステップ９０４からステップ９１６に進む。
【００６９】
ステップ９０６において、基地局が、少なくとも１つの付加的なワイヤレス端末から送信バックログ情報を受け取る。送信バックログ情報は、前記少なくとも１つの付加的なワイヤレス端末から前記基地局に送信されるのを待っているデータの量を示している。ステップ９０６は、サブステップ９１２を含み、実施形態の中には、サブステップ９１４を含むものもある。サブステップ９１２では、基地局が、少なくとも１つの付加的なワイヤレス端末から第１の付加的な送信キューに対応している送信バックログ情報を受け取る。サブステップ９１４では、基地局が、少なくとも１つの付加的なワイヤレス端末から第２の付加的な送信キューに対応している送信バックログを受け取る。動作はステップ９０６からステップ９１８に進む。
【００７０】
ステップ９１６において、基地局が、第１のワイヤレス端末から遅延情報を受け取る。遅延情報は、第１のワイヤレス端末によって送信されるのを待っているデータに対応している。ステップ９１６は、サブステップ９２０を含み、実施形態の中には、サブステップ９２２を含むものもある。サブステップ９２０では、基地局が、第１のワイヤレス端末から第１の送信キューに対応している遅延情報を受け取る。サブステップ９２２では、基地局が、第１のワイヤレス端末から第２の送信キューに対応している遅延情報を受け取る。
【００７１】
ステップ９１８において、基地局が、前記少なくとも１つの付加的なワイヤレス端末から付加的な遅延情報を受け取る。遅延情報は、前記少なくとも１つの付加的なワイヤレス端末によって送信されるのを待っているデータに対応している。ステップ９１８は、サブステップ９２４を含み、実施形態の中には、サブステップ９２６を含むものもある。サブステップ９２４では、基地局が、前記少なくとも１つの付加的なワイヤレス端末から第１の付加的な送信キューに対応している遅延情報を受け取る。サブステップ９２２では、基地局が、前記少なくとも１つの付加的なワイヤレス端末から第２の付加的な送信キューに対応している遅延情報を受け取る。
【００７２】
動作は、接続ノードＡ９２８を通して、ステップ９１６および９１８から、ステップ９３０に進む。ステップ９３０において、前記ワイヤレス端末に対するワイヤレス端末アップリンク送信を基地局がスケジューリングする。ステップ９３０は、サブステップ９３２および９３４を含む。サブステップ９３２では、前記第１のワイヤレス端末に対するワイヤレス端末アップリンク送信を基地局がスケジューリングする。サブステップ９３４では、前記少なくとも１つのワイヤレス端末に対するワイヤレス端末アップリンク送信を基地局がスケジューリングする。
【００７３】
サブステップ９３２は、サブステップ９３６を含み、実施形態の中には、サブステップ９３８、９４０、９４２、９４４および９４６のうちの１つ以上のものを含むものもある。サブステップ９３６では、前記受け取った遅延情報の関数として、前記第１のワイヤレス端末に対するワイヤレス端末アップリンク送信を基地局がスケジューリングする。サブステップ９３８では、前記第１のワイヤレス端末から前記受け取ったバックログ情報の関数として、前記第１のワイヤレス端末に対するワイヤレス端末アップリンク送信を基地局がスケジューリングする。サブステップ９４０では、第１のワイヤレス端末が対応しているサービス品質レベルの関数として、前記第１のワイヤレス端末に対するワイヤレス端末アップリンク送信を基地局がスケジューリングする。サブステップ９４２では、前記受け取った付加的な遅延情報の関数として、前記第１のワイヤレス端末に対するワイヤレス端末アップリンク送信を基地局がスケジューリングする。サブステップ９４４では、前記少なくとも１つの付加的なワイヤレス端末から前記受け取ったバックログ情報の関数として、前記第１のワイヤレス端末に対するワイヤレス端末アップリンク送信を基地局がスケジューリングする。サブステップ９４６では、少なくとも１つの付加的なワイヤレス端末が対応しているサービス品質レベルの関数として、前記第１のワイヤレス端末に対するワイヤレス端末アップリンク送信を基地局がスケジューリングする。さまざまな実施形態において、第１のワイヤレス端末に対応しているサービス品質レベルは、少なくとも１つの付加的なワイヤレス端末に対応しているサービス品質レベルと異なっていてもよく、また、時には異なっていることもある。
【００７４】
サブステップ９３４は、サブステップ９４８を含み、実施形態の中には、サブステップ９５０、９５２、９５４、９５６および９５８のうちの１つ以上のものを含むものもある。サブステップ９４８では、前記受け取った付加的な遅延情報の関数として、前記少なくとも１つの付加的なワイヤレス端末に対するワイヤレス端末アップリンク送信を基地局がスケジューリングする。サブステップ９５０では、前記少なくとも１つの付加的なワイヤレス端末から前記受け取ったバックログ情報の関数として、前記少なくとも１つのワイヤレス端末に対するワイヤレス端末アップリンク送信を基地局がスケジューリングする。サブステップ９５２では、前記少なくとも１つの付加的なワイヤレス端末が対応しているサービス品質レベルの関数として、少なくとも１つの付加的なワイヤレス端末に対するワイヤレス端末アップリンク送信を基地局がスケジューリングする。サブステップ９５４では、前記受け取った遅延情報の関数として、前記少なくとも１つの付加的なワイヤレス端末に対するワイヤレス端末アップリンク送信を基地局がスケジューリングする。サブステップ９５６では、前記第１のワイヤレス端末から前記受け取ったバックログ情報の関数として、前記少なくとも１つの付加的なワイヤレス端末に対するワイヤレス端末アップリンク送信を基地局がスケジューリングする。サブステップ９５８では、前記第１のワイヤレス端末が対応しているサービス品質のレベルの関数として、前記少なくとも１つの付加的なワイヤレス端末に対するワイヤレス端末アップリンク送信を基地局がスケジューリングする。
【００７５】
動作は、接続ノードＢ ９６０を通して、ステップ９３０からステップ９６２に進む。ステップ９６２において、基地局が、割当情報、例えば、アップリンクトラフィックチャネルセグメント割当情報を前記ワイヤレス端末に送信する。ステップ９６２は、サブステップ９６４および９６６を含む。サブステップ９６４では、基地局が、割当情報、例えば、アップリンクトラフィックチャネルセグメント割当情報を第１のワイヤレス端末に送信して、前記第１のワイヤレス端末によるデータのアップリンク送信に対してスケジューリングされた時点に対応しているアップリンクセグメント、例えば、アップリンクトラフィックチャネルセグメントを割り当てる。サブステップ９６６では、基地局が、割当情報、例えば、アップリンクトラフィックチャネルセグメント割当情報を前記少なくとも１つの付加的なワイヤレス端末に送信して、前記少なくとも１つの付加的なワイヤレス端末によるデータのアップリンク送信に対してスケジューリングされた時点に対応しているアップリンクセグメント、例えば、アップリンクトラフィックチャネルセグメントを割り当てる。動作は、ステップ９６２から、ステップ９６８および９７０に進む。
【００７６】
ステップ９６８において、基地局が、第１のワイヤレス端末から更新された遅延情報を受け取る。ステップ９６８は、サブステップ９７２を含み、実施形態の中には、サブステップ９７４を含むものもある。サブステップ９７２では、基地局が、第１のワイヤレス端末から第１の送信キューに対応している更新された遅延情報を受け取る。サブステップ９７４では、基地局が、第１のワイヤレス端末から第２の送信キューに対応している更新された遅延情報を受け取る。第１のキューに対応している遅延情報は、同じ期間の時間中に、第２のキューに対応している遅延情報よりも、より頻繁に受け取られる。
【００７７】
ステップ９７０において、基地局が、前記少なくとも１つの付加的なワイヤレス端末から更新された遅延情報を受け取る。ステップ９７０は、サブステップ９７６を含み、実施形態の中には、サブステップ９７８を含むものもある。サブステップ９７６では、基地局が、前記少なくとも１つの付加的なワイヤレス端末から第１の付加的な送信キューに対応している更新された遅延情報を受け取る。サブステップ９７８では、基地局が、前記付加的なワイヤレス端末から第２の付加的な送信キューに対応している更新された遅延情報を受け取る。第１の付加的なキューに対応している遅延情報は、同じ期間の時間中に、第２の付加的なキューに対応している遅延情報よりも、より頻繁に受け取られる。
【００７８】
実施形態の中には、第１および第２の送信キューが、第１および第２のトラフィックフローにそれぞれ対応しているものもある。いくつかのこのような実施形態では、第１のトラフィックフローは音声トラフィックフローであり、第２のトラフィックフローは非音声フロー、例えば、ゲーミングトラフィックフローまたは他のインターラクティブトラフィックフローである。
【００７９】
いくつかの実施形態では、第１のワイヤレス端末から受け取った遅延情報は、最大キュー待ち遅延を含む。前記最大キュー待ち遅延は、送信されるのを待っているデータが待っている時間の最大量を示している。実施形態の中には、第１のワイヤレス端末から受け取った遅延情報が、送信デッドラインまでの最小遅延を含むものもある。
【００８０】
図１０は、例示的な直交周波数分割多重（ＯＦＤＭ）多元接続ワイヤレス通信システムにおける、例示的なアップリンクタイミングおよび周波数構造中の例示的なアップリンク専用制御チャネル（ＤＣＣＨ）セグメントの図１０００である。アップリンク専用制御チャネルを使用して、ワイヤレス端末から基地局に対して、専用制御レポート（ＤＣＲ）を送る。縦軸１００２は、論理アップリンクトーンインデックスをプロットし、一方、横軸１００４は、ビーコンスロット内のハーフスロットのアップリンクインデックスをプロットする。この例において、アップリンクトーンブロックは、１１３個のインデックス付けされた論理アップリンクトーン（０、・・・、１１２）を含む。すなわち、ハーフスロット内の７個の連続的ＯＦＤＭシンボル送信時間期間と、スーパースロット内の１６個の連続的ハーフスロットが続く２個の付加的なＯＦＤＭシンボル時間期間と、ビーコンスロット内の８個の連続的スーパースロットとがある。スーパースロット内の最初の９個のＯＦＤＭシンボル送信時間期間は、アクセス間隔であり、専用制御チャネルは、アクセス間隔の無線リンクリソースを使用しない。
【００８１】
例示的な専用制御チャネルは、３１個の論理トーン（アップリンクトーンインデックス８１ １００６、アップリンクトーンインデックス８２ １００８、・・・、アップリンクトーンインデックス１１１ １０１０）にサブ分割される。論理アップリンク周波数構造中のそれぞれの論理アップリンクトーン（８１、・・・、１１１）は、ＤＣＣＨチャネル（０、・・・、３０）に関してインデックス付けされた論理トーンに対応している。
【００８２】
専用制御チャネル中のそれぞれのトーンに対して、４０個の列（１０１２、１０１４、１０１６、１０１８、１０２０、１０２２、・・・、１０２４）に対応しているビーコンスロット中に４０個のセグメントがある。セグメント構造は、ビーコンスロットベースで繰り返す。専用制御チャネル中の所定のトーンに対して、ビーコンスロット１０２８に対応する４０個のセグメントがあり、ビーコンスロットの８個のスーパースロットのそれぞれは、所定のトーンに対する５個の連続的セグメントを含む。例えば、ＤＣＣＨのトーン０に対応しているビーコンスロット１０２８の最初のスーパースロット１０２６に対して、５個のインデックス付けされたセグメント（セグメント［０］［０］、セグメント［０］［１］、セグメント［０］［２］、セグメント［０］［３］、セグメント［０］［４］）がある。同様に、ＤＣＣＨのトーン１に対応しているビーコンスロット１０２８の最初のスーパースロット１０２６に対して、５個のインデックス付けされたセグメント（セグメント［１］［０］、セグメント［１］［１］、セグメント［１］［２］、セグメント［１］［３］、セグメント［１］［４］）がある。同様に、ＤＣＣＨのトーン３０に対応しているビーコンスロット１０２８の最初のスーパースロット１０２６に対して、５個のインデックス付けされたセグメント（セグメント［３０］［０］、セグメント［３０］［１］、セグメント［３０］［２］、セグメント［３０］［３］、セグメント［３０］［４］）がある。
【００８３】
この例における、それぞれのセグメント、例えば、セグメント［０］［０］は、３個の連続的ハーフスロットに対する１つのトーンを含み、これは例えば、２１個のＯＦＤＭトーンシンボルの割り振られたアップリンク無線リンクリソースを表している。いくつかの例では、論理トーンに関係付けられている物理トーンが連続的ハーフスロットに対して異なっていてもよいが、所定のハーフスロット中、一定のままであるように、アップリンクトーンホッピングシーケンスにしたがって、論理アップリンクトーンが物理トーンに対してホッピングされる。
【００８４】
専用制御チャネルの論理トーンのそれぞれは、基地局をその現在のアタッチメントポイントとして使用する異なるワイヤレス端末に対して、基地局によって割り当てられてもよい。例えば、論理トーン（１００６、１００８、・・・、１０１０）は、現在、それぞれ（ＷＴＡ １０３０、ＷＴＢ １０３２、・・・、ＷＴＮ’ １０３４）に対して割り当てられていてもよい。
【００８５】
各アップリンクＤＣＣＨセグメントを使用して、１組の専用制御チャネルレポート（ＤＣＲ）を送信する。例示的なＤＣＲのリストが図１１の表１１００中に与えられている。表１１００の第１列１１０２は、それぞれの例示的なレポートに対する短縮名称を記述している。それぞれのレポートの名称は、ＤＣＲのビットの数を指定する数で終わる。表１１００の第２列１１０４は、それぞれの名称が付けられたレポートを簡単に説明している。この例示的な実施形態では、２つのタイプのＤｅｌａｙ情報レポート、ＤＥＬＡＹ Ａ４とＤＥＬＡＹ Ｂ４とがある。さらに、レポートＴＹＰＥ２によって定義されているフレキシブルレポートのタイプを使用して、対応しているＢＯＤＹ４レポート中でＤＥＬＡＹ Ａ４レポートまたはＤＥＬＡＹ Ｂ４を伝えることができる。さらに、実施形態の中には、アップリンク要求レポート、例えば、ＵＬＲＱＳＴ１、ＵＬＲＱＳＴ３、および／またはＵＬＲＱＳＴ４を使用して、遅延情報を伝えるものもある。
【００８６】
図１２は、例えばワイヤレス端末に対応している、所定のＤＣＣＨトーンに対する例示的なビーコンスロット中の例示的なレポーティングフォーマット情報を図示している図１２９９である。図１２において、それぞれのブロック（１２００、１２０１、１２０２、１２０３、１２０４、１２０５、１２０６、１２０７、１２０８、１２０９、１２１０、１２１１、１２１２、１２１３、１２１４、１２１５、１２１６、１２１７、１２１８、１２１９、１２２０、１２２１、１２２２、１２２３、１２２４、１２２５、１２２６、１２２７、１２２８、１２２９、１２３０、１２３１、１２３２、１２３３、１２３４、１２３５、１２３６、１２３７、１２３８、１２３９）は、１つのセグメントを表し、そのインデックスｓ２（０、・・・、３９）が、四角形の領域１２４０において、ブロックの上で示されている。それぞれのブロック、例えば、セグメント０を表現しているブロック１２００は、６個の情報ビットを伝え、各ブロックは、セグメント中の６ビットに対応する６行を含み、ここで、四角形の領域１２４３において示したように、ビットは、最上行から最下行に下方向に向けて、最上位ビットから最下位ビットにリスト表示されている。
【００８７】
この例示的な実施形態では、遅延情報は、フレキシブルレポートの手段、および／またはアップリンク要求レポート（ＵＬＲＱＳＴ１、ＵＬＲＱＳＴ３および／またはＵＬＲＱＳＴ４）のうちの１つ以上の手段によって伝えられる。他の実施形態では、予め定められたスロットは、レポーティング構造中で割り振られ、遅延情報レポート中で予約されている。例えば、図１２の例示的なレポーティング構造中で４ビット設計されたレポートスロットのうちの１つ以上のものを、ＤＥＬＡＹＡ４レポートと置き換えてもよい。実施形態の中には、いくつかの予め定められたスロットが、第１のキューに対応している遅延情報を伝えるように割り振られ、また、他のいくつかの予め定められたスロットが、第２のキューに対応している遅延情報を伝えるように割り振られるものもある。いくつかのこのような実施形態において、割り振りは、異なるレート、例えば、第２のキューに対応している遅延情報よりも、より高いレートで、第１のキューに対応している遅延情報が送信されるようなものであってもよい。実施形態の中には、第１および第２のキューが、異なる要求グループに対応しているものもある。いくつかの実施形態では、伝達される遅延情報および／または伝達されるバックログ情報は、例えば、複数の送信ストリームに対応している集約された情報を表す。
【００８８】
図１３は、例示的な４ビット遅延レポート（ＤＥＬＡＹＡ４）の例示的なフォーマットを説明している表１３００の図である。表１３００の列１３０２では、レポートに対する１６個の実行可能な情報ビットパターンをリスト表示しており、列１３０４では、実行可能なビットパターンのそれぞれに対して、そのビットパターンが伝達された場合に、レポートによって伝えられた送信キュー中のパケットに対する最大遅延時間情報をリスト表示している。例えば、ビットパターン＝００１１は、最大遅延時間が１５ｍｓよりも大きく、かつ２０ｍｓよりも小さい、または２０ｍｓに等しいことを意味している。
【００８９】
図１４は、例示的な４ビット遅延レポート（ＤＥＬＡＢ４）の例示的なフォーマットを説明している表１４００の図である。表１４００の列１４０２では、レポートに対する１６個の実行可能な情報ビットパターンをリスト表示しており、列１４０４では、実行可能なビットパターンのそれぞれに対して、送信キュー中のパケットに対する、パケット廃棄デッドラインまでの最小遅延の情報をリスト表示しており、そのビットパターンが伝達された場合に、この情報がレポートによって伝えられる。例えば、ビットパターン＝０１０１は、送信デッドラインまでの最小遅延が２５ｍｓよりも大きく、かつ３０ｍｓより小さい、または３０ｍｓに等しいことを意味している。
【００９０】
実施形態の中には、少なくともいくつかの情報レポーティングフォーマットが、複数の異なるキューに対応しているレポーティング遅延情報を構成しているものもある。例えば、送信されるべきデータの異なるキューまたは異なる集まりに対応する異なる遅延情報を、例えば、キュー待ちされた音声トラフィックに関係する第１の遅延と、他の時間感応性があるトラフィックに関係する第２の遅延とを、報告することが可能であり、そして、時には報告する。
【００９１】
図１５は、ＴＹＰＥ２およびＢＯＤＹ４に対応している例示的なフレキシブルレポートを説明している表１５００の図である。フレキシブルレポートでは、割り振られたフレキシブルレポートスロット中で、レポートのどのタイプを伝達するのかをワイヤレス端末が選択する。この例示的な実施形態では、フレキシブルレポートに対する選択は、例えば、ＤＥＬＡＹ Ａ４またはＤＥＬＡＹ Ｂ４フォーマットのうちのいずれかを使用して、遅延情報を報告するオプションを含む。ワイヤレス端末は、ＴＹＰＥ２レポートにおけるレポートタイプのその選択と、割り振られたフレキシブルスロットのＢＯＤＹ４における対応選択されたレポートとを伝達する。表１５００の列１５０２は、ＴＹＰＥ２レポートに対する４つの実行可能な情報ビットパターンをリスト表示し、列１５０４は、実行可能なビットパターンのそれぞれについて、そのビットパターンが伝達される場合に、ＢＯＤＹ４レポート位置で伝えられるべきレポートをリスト表示する。例えば、ビットパターン＝１１がＴＹＰＥ２レポートスロットで伝達される場合に、対応しているＢＯＤＹ４スロット中でＤＥＬＡＹ４レポートが伝達される。
【００９２】
さまざまな実施形態では、ワイヤレス端末は、アップリンクトラフィックバックログに対する遅延情報を提供する。基地局（ＢＳ）がアップリンク中で適切なサービス品質（ＱｏＳ）を提供することを可能にするために、いくつかの実施形態では、ワイヤレス端末（ＷＴ）は、周期的に、制御情報をＢＳに送信する。例えば、この制御情報は、いくつかの実施形態では、ＷＴでのバックログの量、すなわち、キューの長さと、ＷＴでの電力の利用可能性、例えば、パス損失比またはビーコン比レポートのような干渉管理に関係する情報とのうちの１つ以上のものを含む。しかしながら、上記にリスト表示した情報に加えて、遅延感応性があるトラフィックをスケジューリングするときをタイムリーに決定するために、スケジューラは、遅延に関する情報を有効に使用することができる。この遅延感応性があるトラフィックの例は、音声、ゲーミングおよび他のインターラクティブアプリケーションを含む。
【００９３】
遅延情報は、いくつかの実施形態において、次の２つの形態のうちの一方の形態をとることができる。１つは、（１）ＷＴのキュー中のパケットのそれぞれの全体にわたる最大キュー待ち遅延である。ＷＴが複数のキューを持つケースにおいて、異なるトラフィックフローのそれぞれに対して、いくつかの実施形態では、１つ以上のキュー中のパケット全体にわたって最大値を計算することができる。これらのキューのそれぞれを異なるＱｏＳ要求条件で表すことができることに留意すべきである。一般的に、遅延感応性があるトラフィックフローに属しているパケットに対する、この最大値を計算することができる。もう１つは、（２）ＷＴのキュー中のパケットのそれぞれ全体にわたった、スケジューリングデッドラインまたはパケット廃棄デッドラインまでの残りの最小時間である。再度説明すると、ＷＴが複数のキューを持つ場合に、異なるトラフィックフローのそれぞれに対して、いくつかの実施形態では、時間または遅延制約を持つパケットに対して、最小値を計算することができる。
【００９４】
遅延情報自体は、いくつかの方法で報告することができる。例示的なシステム、例えば、例示的なＯＦＤＭワイヤレス通信システムでは、例えば、遅延情報は、要求辞書を使用して送信することができる。いくつかの例示的な実施形態では、例示的な要求辞書は、複数の異なるビットサイズの要求レポート、例えば、１ビットの、３ビットの、および４ビットの要求レポートを含む。これらのレポートのそれぞれを使用して、ＷＴでのトラフィックフロー全体にわたるバックログに関係する情報を提供する。
【００９５】
例えば、１ビットレポートを使用して、デッドラインまでＴｍｓより少ない残り時間を有するトラフィックの存在を簡単に示すことができる。例えば、Ｔは、２０ｍｓと等しくてもよい。例えば、残りのレポートタイプを使用して、デッドラインまでの残り時間や、総バックログのような、より詳細なバックログ情報をトラフィックフローに対して提供する。さらに正確に述べると、これらのレポートのそれぞれを使用して、デッドラインおよび総バックログ情報のうちの一方、または両方を伝えることができる。いくつかの例を使用して、このことを以下で説明する。
【００９６】
Ｄは、ＷＴのキュー中のパケットのそれぞれのスケジューリングデッドラインまでの、ミリ秒での残りの最小時間を表すとする。Ｎは、例えば、ＭＡＣフレームカウントのような、ＷＴにおける総バックログを表すとする。これらの表記を使用すると、３ビットおよび４ビットは、以下の通りである。
【００９７】
要求辞書の１つの図示的な例である、図１７の表１７００および図１８の表１８００によって表されている辞書Ａでは、ＷＴは、３ビットレポート中で総バックログ情報のみを送信する。一方、４ビットレポートは、遅延情報また総バックログ情報のいずれかを送信するために使用される。この例示的な実施形態では、３ビットレポートは、２つの制御係数、ｙおよびｚに依存しており、そして、この２つの係数は、以前の電力レポート、例えば、最後に報告されたアップリンクＤＣＣＨバックオフレポート、ｘと、以前の干渉レポート、例えば、最後に報告されたビーコン比レポート、ｂactualとに依存している。そして、ＷＴは、bactual-BEACON_RATIO_OFFSETに等しくなるように、「調整された一般的なビーコン比」ｂを計算する。最後に、表１６００では、ＷＴがサポートできる最大レートオプションをＲmaxとし、そのレートオプションに対応しているＭＡＣフレームの数をＮmaxとする。例示的な制御係数を決定する例を表１６００で示している。表１６００では、第１列１６０２では、さまざまなテスト条件をリスト表示している。また、第２列１６０４では、それぞれの条件に対する、制御係数ｙに対する値に対応している値をリスト表示している。さらに、第３列１６０６では、それぞれの条件に対応している制御係数ｚに対して、対応している値をリスト表示している。表１６００では、ｘおよびｂが与えられると、第１列における条件を満たすｙおよびｚの値は、最上行から最下行に処理して第１行から得ることができる。
【００９８】
図１８の表１８００のフォーマットの４ビットレポートでは、Ｄ＜Ｔmaxであるときにいつでも、ＷＴが、デッドラインまでの残り時間の情報Ｄを送信する。例えば、Ｔmax＝１００ｍｓである。その他の場合は、ＷＴは、バックログ情報を送信する。
【数１】
2009521853.tif 000003
【００９９】
と定義し、ここで、図１７の表１７００を使用して、最新の３ビットレポートの時間におけるＮの値に基づいて、Ｎminが決定される。
【０１００】
要求辞書のさらに別の図示的な例である、図１９の表１９および図２０の表２０００によって表されている辞書Ｂでは、ＷＴは、図１９の表１９００のフォーマットを使用して、３ビットレポート中の遅延情報を送信する。一方で、図２０の表２０００のフォーマットを持つ４ビットレポートは、総バックログ情報を送信するために使用する。４ビットレポートに対して使用される制御係数ｙおよびｚは、図１６の表１６００について上記で説明した方法で、ＤＣＣＨバックオフと調整ビーコン比レポートとから決定される。
【０１０１】
要求辞書のさらに別の例示的な例では、図２１の表２１００および図２２の表２２００によって表されている辞書Ｃは、上記の辞書Ｂでのように、ＷＴが、図２１の表２１００のフォーマットを使用して、３ビットレポート中の遅延レポートを送信する。しかしながら、図２２の表２２００のフォーマットを持つ４ビットレポートでは、総バックログ情報、または、デッドラインまでの残り時間＜＝Ｄmaxを有するフレームの数ＮDのいずれかを、ＷＴが送信することができる。Ｄmaxは、例えば、５０ｍｓに等しくすることができる。さらに別の例では、ＤmaxはＴmaxに等しくすることができる。
【０１０２】
上記の例では、いくつかの要求辞書を構成することができることを説明している。要求レポート、例えば、３ビットおよび／または４ビット要求レポートは、以下のもののうち１つ以上を含む。（１）遅延情報、（２）総バックログ情報、（３）トラフィックフローのうちのいくつかに対するバックログ情報、（４）何らかの値ＮDよりも小さいデッドラインまでの残り時間を有する総バックログ、（５）以前のレポート中で、例えば、以前の３ビット要求レポート、４ビット要求レポートまたは以前の要求レポート中で伝えられた要求情報の改良点。
【０１０３】
例示的なワイヤレス通信システム、例えば、例示的なＯＦＤＭシステムでは、上記で説明したように、要求レポートを、例えば、要求辞書の一部として要求レポートを使用して、ＢＳに遅延情報を提供することに加えて、または提供する代わりに、ＷＴは、別々の遅延情報レポートを使用して、遅延情報を送信することができる。いくつかのこのような実施形態では、フレキシブルレポート、例えば、フレキシブル専用制御チャネル（ＤＣＣＨ）レポートを使用することができる。フレキシブルレポートでは、ワイヤレス端末が、フレキシブルレポートに割り振られたレポーティング機会において送るレポートのタイプを選択する。例えば、例示的な４ビットフレキシブルレポートは、（１）遅延情報、（２）何らかの値ＮDよりも小さいデッドラインまでの残り時間を有する総バックログ、（３）以前のレポート中で、例えば、以前の３ビットまたは４ビットＵＬ−ＲＱＳＴレポート、または以前のＵＬ−ＲＱＳＴレポート中で伝えられた要求情報の改良点、のうちの１つ以上のものを含む。
【０１０４】
上記の例における要求レポートに対するビットのサイズ、例えば、１ビット、３ビット、４ビットは、例示であり、また、他の実施形態では、異なるビットのサイズ要求レポートが使用されてもよいことに留意すべきである。図１２および図１３は、例示的な遅延情報レポートフォーマットの２つの例を提供している。図１５は、フレキシブルレポートフォーマットを説明している。このフレキシブルレポートフォーマットは、ある時間に、遅延情報を伝えるために使用されてもよく、または、他の時間中に、他の情報を伝えるために使用される。
【０１０５】
アップトラフィック、ＵＬＲＱＳＴ１、ＵＬＲＱＳＴ３およびＵＬＲＱＳＴ４に対する３つの異なるビットサイズの要求レポートを使用して、遅延情報の伝達をサポートする別の例示的な実施形態を説明することとする。
【０１０６】
ＷＴは、ＵＬＲＱＳＴ１、ＵＬＲＱＳＴ３、またはＵＬＲＱＳＴ４を使用して、ＷＴ送信機でのＭＡＣフレームキューのステータスを報告する。
【０１０７】
ＷＴ送信機は、ＭＡＣフレームを維持し、リンクを通して送信されるべきＭＡＣフレームをバッファリングする。ＭＡＣフレームはＬＬＣフレームから変換され、ＬＬＣフレームは、上位レイヤプロトコルのパケットから構成される。任意のパケットは１６個のストリームのうちの１つに属することになっている。パケットが１つのストリームに属している場合、そのパケットのＭＡＣフレームすべてが、そのストリームに属している。
【０１０８】
ＷＴは、送信を意図している１６個のストリーム中のＭＡＣフレームの数を報告する。ＡＲＱプロトコルでは、これらのＭＡＣフレームは、「新規」または「再送されるべき」とマークされることになる。ＷＴは１６個の要素Ｎ[０：１５]およびＤ[０：１５]の２つのベクトルを維持すべきであり、３つのスカラ、ＮT、ＮD、およびＤminを維持することになる。すなわち、ｋ＝０：１５である場合、Ｎ[ｋ]は、ＷＴがストリームｋ中で送信を意図しているＭＡＣフレームの数を表している。一方、Ｄ[ｋ]は、ＷＴがストリームｋ中で送信を意図しているパケットに対する送信デッドラインまでの残りの最小時間を表している。さらに、
【数２】
2009521853.tif 000004
【０１０９】
である。
【０１１０】
例えば、ＴM＝２０ｍｓである。ＷＴは、ＮT、ＮD、およびＤminについての情報を基地局セクタにレポートすべきである。この結果、基地局セクタが、アップリンク（ＵＬ）スケジューリングアルゴリズム中で情報を利用して、アップリンクトラフィックチャネル（ＵＬ．ＴＣＨ）セグメントの割り当てを決定することができる。
【０１１１】
図２３の表２３００にしたがって、ＷＴはＵＬＲＱＳＴ１を使用して、ＮDを報告する。
【０１１２】
Ｄは、ＷＴのキュー中のすべてのパケットに対するスケジューリングデッドラインまでの残りの最小時間を、ミリ秒で示すとする。Ｎは、ＷＴでの総バックログを示すとする。これらの表記を用いると、３ビットおよび４ビットレポートは以下の通りである。
【０１１３】
ＷＴは、要求辞書にしたがってＵＬＲＱＳＴ３またはＵＬＲＱＳＴ４を使用し、ＮT、ＮD、またはＤminのうちの１つ以上のものを報告する。要求辞書は、要求辞書（ＲＤ）参照番号によって識別される。所定の時間に、ＷＴは、１つの要求辞書のみを使用する。ちょうどＡＣＴＩＶＥ状態にＷＴが入るとき、ＷＴは、デフォルト要求辞書を使用する。要求辞書を変更するために、ＷＴおよび基地局セクタは、上位レイヤ構成プロトコルを使用する。後に、ＨＯＬＤ状態からＯＮ状態にＷＴが移行したとき、要求辞書が明示的に変更されるまでＷＴが同一の要求辞書を使い続けられるように、ＯＮ状態からＨＯＬＤ状態にＷＴが移行するときに、ＷＴは、ＯＮ状態で使用された最新の要求辞書を保持する。しかしながら、ＷＴがＡＣＴＩＶＥ状態を離れる場合、使用された要求辞書のメモリは消去されることになる。
【０１１４】
要求辞書は、ＵＬＲＱＳＴ３またはＵＬＲＱＳＴ４レポートの何らかの所定の例は、ＮT、ＮD、またはＮminの実際の値を完全に含んでいないことを示している。レポートは、j実際に、ＮT、ＮD、またはＮminの実際の値の量子化されたバージョンである。一般的なガイドラインは、ＮT、ＮD、またはＮminの報告された値と実際の値との間の不一致を最小限にするように、ＷＴがレポートを送るべきことである。しかしながら、ＷＴは、大抵、レポートを決定する柔軟性を持っている。例えば、いくつかのケースでは、ＷＴが要求辞書０を使用しているとき、ＷＴはＵＬＲＱＳＴ４を使用して、ＮTを報告してもよく、そして他のケースではＮDを報告してもよい。
【０１１５】
ＵＬＲＱＳＴ３またはＵＬＲＱＳＴ４を決定するために、例えば、図１６の表１６００にしたがって、最初に、最小値の次の２つのパラメータ、ｙとｚとをＷＴが計算し、そして、以下の辞書のうちの１つを使用する。最も最近のＵＬＴＸＢＫＦ５レポートの値を（ｄＢでの）ｘによって表し、最も最近のＵＬＴＸＢＫＦ４レポートの値を（ｄＢでの）ｂ0によって表している。ｘに対する例示的な範囲は、６．５ｄＢから４０ｄＢである。ｂ0に対する例示的な範囲は、−３ｄＢから２６ｄＢである。ＷＴは調整された一般的なＤＬＢＮＲ４レポート値ｂを次のようにさらに決定する。b=b0-ulTCHrateFlashAssignmentOffsetであり、ここで、マイナスは、ｄＢの意味で定義されている。ｘおよびｂが与えられると、ＷＴは、第１列における条件を満足するｙおよびｚを、図１６の表１６００中の第１行からのように決定する。例えば、ｘ＝１７かつｂ＝１である場合、ｚ＝min（３,Ｎmax）であり、ｙ＝１である。ＷＴがサポートできる最高レートオプションをＲmaxと表し、このレートオプションで送信できるＭＡＣフレームの数をＮmaxと表す。
【０１１６】
図２４の表２４００および図２５の表２５００は、１に等しいＲＤ参照番号を持つ例示的な要求辞書を規定している。
【０１１７】
図２６の表２６００および図２７の表２７００は、０に等しいＲＤ参照番号を持つ例示的な要求辞書を規定している。
【数３】
2009521853.tif 000005
【０１１８】
を規定し、ここで、
【数４】
2009521853.tif 000006
【０１１９】
およびｇは、図２６の表２６００のように、最も最近のＵＬＲＱＳＴ４によって決定される変数である。
【０１２０】
図２８は、さまざまな実施形態にしたがった例示的なワイヤレス端末２８００、例えば、移動体ノードの図である。例示的なワイヤレス端末２８００は、図１のシステム１００の例示的なワイヤレス端末（１１０、１１２、１１４、１１６）のうちの任意のものであってもよい。
【０１２１】
ワイヤレス端末２８００は、バス２８１２を通して互いに結合された、受信機モジュール２８０２と、送信機モジュール２８０４と、プロセッサ２８０６と、ユーザＩ／Ｏデバイス２８０８と、メモリ２８１０とを含み、バス２８１２を通してさまざまな構成部品がデータおよび情報を交換する。メモリ２８１０は、ルーチン２８１４とデータ／情報２８１６とを含む。プロセッサ２８０６、例えば、ＣＰＵは、ルーチン２８１４を実行し、メモリ２８１０中のデータ／情報２８１６を使用して、ワイヤレス端末２８００の動作を制御し、方法を実現する。
【０１２２】
受信機モジュール２８０２、例えば、ＯＦＤＭ受信機は、受信アンテナ２８０３に結合されており、受信アンテナ２８０３を通して、ワイヤレス端末２８００は、ダウンリンク信号を受け取る。ダウンリンク信号は、アップリンク通信リソースの割当、例えば、アップリンクトラフィックチャネルセグメントの割当を含む割当信号を含んでいる。送信機モジュール２８０４、例えば、ＯＦＤＭ送信機は、送信アンテナ２０５に結合されており、送信アンテナ２０５を通して、ワイヤレス端末２８００は基地局にアップリンク信号を送信する。アップリンク信号は、例えば、アップリンク要求レポート（ＵＬＲＱＳＴ１、ＵＬＲＱＳＴ３、ＵＬＲＱＳＴ４）や、電力レポートや、干渉レポート等のような、例えば、バックログレポートを含む制御情報レポートを含んでいる。アップリンク信号はまた、送信キューからの情報のパケットを伝えるアップリンクトラフィックチャネルセグメント信号も含む。送信機モジュール２８０４は、送信遅延決定モジュール２８１８によって決定される少なくともいくつかの遅延情報を送信し、例えば、アップリンク要求レポートの一部として伝達され、および／またはスタンドアローン遅延レポートの一部として送信される。いくつかの実施形態では、受信機および送信機に対して、同じアンテナが使用される。
【０１２３】
例えば、マイクロフォン、キーパット、キーボード、マウス、スイッチ、カメラ、スピーカ、ディスプレイ等のユーザＩ／Ｏ２８０８によって、ワイヤレス端末２８００のユーザがデータ／情報を入力したり、出力データ／情報にアクセスしたりすることができる。また、ユーザＩ／Ｏ２８０８によって、ワイヤレス端末２８００のうちの少なくともいくつかの機能をワイヤレス端末２８００のユーザが制御することができる。
【０１２４】
ルーチン２８１４は、送信遅延決定モジュール２８１８と、キュー管理モジュール２８２０と、送信制御モジュール２８２２と、レポート発生モジュール２８２４とを含む。送信遅延決定モジュール２８１８は、送信されるべきデータに対応する遅延情報を、例えば、送信デッドラインまでの最小遅延および／または最大キュー待ち遅延を含む遅延情報を決定する。送信遅延決定モジュール２８１８は、ストリーム遅延決定モジュール２８２８と遅延パラメータ決定モジュール２８３０とを含む。ストリーム遅延決定モジュール２８２８は、ワイヤレス端末２８００によって維持されている１つ以上の送信ストリームに対応している個々の遅延情報（ストリーム１ 遅延情報２８４８、・・・、ストリームＮ遅延情報２８５０）を決定する。遅延パラメータ決定モジュール２８３０は、ストリーム遅延決定モジュール２８２８の個々の遅延決定の関数（ストリーム１遅延情報２８４８、・・・、ストリームＮ遅延情報２８５０）として、遅延パラメータ値２８５２を、例えば、遅延情報を伝達するためにアップリンク要求レポート中にエンコードされるべき値を決定する。
【０１２５】
キュー管理モジュール２８２０は、１つ以上の送信キュー、例えば、異なる送信ストリームに対応している、アップリンクトラフィックに対する送信キューを管理する。キュー管理モジュール２８２０の動作は、送信キューと送信キューフレームカウント情報とを維持することを含む。例えば、パケットに関係する送信デッドラインまでにパケットに対応しているデータが送信キューから送信されなかった場合に、キュー管理モジュール２８２０は、データの、例えば、パケットの送信キューからの欠落を制御する。キュー管理モジュール２８２０は、バックログ情報決定モジュール２８２１と、フレームカウント集約モジュール２８３２と、条件ベースフレームカウント集約モジュール２８３４とを含む。バックログ情報決定モジュール２８２１は、送信されるのを待っているデータの量、例えば、ストリーム１フレームカウント情報２８４４、・・・、ストリームＮフレームカウント２８４６を示している情報を決定する。フレームカウント集約モジュール２８３２は、集約されたフレームカウントパラメータ２８５４、例えば、ストリーム（ストリーム１フレームカウント２８４４、・・・、ストリームＮフレームカウント２８４６）のフレームカウントの合計を計算する。条件ベースフレームカウント集約モジュール２８３４は、集約されたフレームカウントパラメータ２８５６、例えば、条件に適合するフレームの合計を計算する。これは、例えば、予め定められた送信デッドラインまでの残り時間を有するフレームの合計、または予め定められた値を超える時間長の間、送信を待っているフレームの数である。
【０１２６】
レポート発生モジュール２８２４は、フレームカウント情報を伝達するアップリンクレポートおよび／または遅延情報のような、制御情報レポートを発生させる。レポート発生モジュール２８２４は、コーディングモジュール２８２６を含む。バックログ情報、例えば、送信されるべきデータのフレームカウントと、遅延情報とを一緒にコーディングすることを含む、コーディング動作をコーディングモジュール２８２６が実行する。
【０１２７】
遅延情報を、例えば、送信デッドラインまでの最小遅延情報および／または最大キュー待ち遅延情報を伝達するレポートを含んでいる制御情報レポートを送信するように、送信制御モジュール２８２２が送信機モジュール２８０４を制御する。
【０１２８】
データ／情報２８１６は、送信ストリーム(ストリーム１ 送信キュー２８３６、・・・、ストリームＮ送信キュー２８３８)と、キュー統計情報２８３０と、欠落させるべきパケットを識別する情報２８３２と、レポート入力情報２８３６と、発生されたレポート情報２８３８と、チャネル構造情報２８４０と、制御レポートのフォーマット情報２８４２とに対応している１つ以上の送信キューを含む。
【０１２９】
送信キュー（２８３６、・・・、２８３８）は、ワイヤレス端末によって送信されるべきデータ、例えば、オーディオデータ、画像データ、テキストデータ、ファイルデータ等を含む。ストリーム１送信キュー２８３６は、例えば、送信されるのを待っているデータのＭＡＣフレームを含み、これは、送信ストリーム１にマッピングされている。ストリームＮ送信キュー２８３８は、例えば、送信されるのを待っているデータのＭＡＣフレームを含み、これは、送信ストリームＮにマッピングされている。キュー統計情報２８３０は、送信ストリーム（ストリーム１フレームカウント２８４４、・・・、ストリームＮフレームカウント２８４６）のそれぞれに対するバックログに対応しているフレームカウントを含む。ストリームフレームカウント情報（２８４４、・・・、２８４６）は、バックログ情報決定モジュール２８２１の出力である。キュー統計情報２８３０はまた、異なるストリーム（ストリーム１遅延情報２８４８、・・・、ストリームＮ遅延情報２８５０）に関係する遅延情報も含む。ストリーム遅延情報（２８４８、・・・、２８５０）は、ストリーム遅延決定モジュール２８２８の出力である。遅延パラメータ情報２８５２は、遅延パラメータ決定モジュール２８３０の出力であり、遅延情報（２８４８、・・・、２８５０）を入力として使用する。１つの実施形態では、遅延パラメータ情報２８５２は、１組（２８４８、・・・、２８５０）中の最小値、例えば、伝達されるべき送信デッドラインまでの最小遅延の値である。１つの実施形態では、遅延パラメータ情報２８５２は、１組（２８４８、・・・、２８５０）中の最大値、すなわち、伝達されるべき最大キュー遅延値である。集約されたフレームカウント情報２８５４、例えば、フレームカウント（ストリーム１フレームカウント２８２４、・・・、ストリームＮフレームカウント２８４６）の組の合計は、フレームカウント集約モジュール２８３２の出力である。条件ベースで集約されたフレームカウント情報２８５６は、条件ベースフレームカウント集約モジュール２８３４の出力である。一般的に、集約されたフレームカウント情報２８５４によって表現されるフレームカウントは、集約されたフレームカウント情報２８５４によって表現されるフレームカウントより小さい、またはこのフレームカウントに等しい。
【０１３０】
欠落させるべきパケットを識別する情報２８３２は、キュー管理モジュール２８２０の出力であり、送信キューを更新するために使用される。例えば、管理モジュール２８２０が、情報２８３２に基づいて、ストリーム１送信キュー２８３６を更新する。
【０１３１】
レポート入力情報２８３６は、レポート発生モジュール２８２４によって使用される入力情報、例えば、アップリンク要求レポートにエンコードされるべき、バックログ関連情報および／またはフレームカウント関連情報を含んでいる情報を含む。レポート入力情報２８３６は、例えば、遅延パラメータ情報２８５２と、集約されたフレームカウント情報２８５４と、条件ベースで集約されたフレームカウント情報２８５６とのうちの１つ以上のものを組み合わせたものを含む。実施形態の中には、同一のタイプのレポートに対して、別々の時間に、入力情報の異なる組み合わせが使用されるものもある。発生されたレポート情報２８３８は、レポート発生モジュール２８２４の出力である。これは、例えば、特定の要求辞書フォーマットを、例えば、図２４〜図２７の参照０によるフォーマットまたは要求辞書、あるいは参照１によるフォーマットまたは要求辞書を使用している、ＵＬＲＱＳＴ３レポートに対応している３ビットビットパターン、またはＵＬＲＱＳＴ４レポートに対応している４ビットビットパターンである。
【０１３２】
チャネル構造情報２８４０は、例えば、遅延情報および／またはバックログ情報を伝達するために、繰り返し構造での位置を識別するアップリンク専用制御チャネル構造情報を含む。図１０、１１および１２は、チャネル制御構造情報の一部として含まれていてもよい例示的な情報を含む。制御レポートのフォーマット情報２８４２は、遅延情報レポートと、バックログ情報レポートと、遅延／バックログレポートを組み合わせたものとを含む制御情報レポートに対応しているビットマッピング定義情報を含む。図１３、１４、１５、１７、１８、１９、２０、２１、２２、２３、２４、２５、２６および２７は、いくつかの例示的なレポートフォーマットを説明するために使用される情報を提供する。
【０１３３】
ワイヤレス端末２８００に対応している１つの例示的な実施形態では、対応しているキュー（２８３６、・・・、２８３８）を有する１６個の送信ストリームがある。チャネル構造情報は図１０、１１および１２の情報を含み、その制御レポートのフォーマット情報は図２３ないし２７の情報を含むとして考える。ＷＴが送信を意図している１６個のストリーム中のＭＡＣフレーム数を、ＷＴが報告する。ＷＴは、１６個の要素Ｎ[０：１５]（情報２８４４、・・・、情報２８４６）およびＤ[０：１５]（情報２８４８、・・・、情報２８５０）の２ベクトルを維持し、また、３個のスカラ、ＮT（情報２８５４）、ＮD（情報２８５６）、およびＤmin（２８５２）を維持する。ｋ＝０：１５に対して、Ｎ[ｋ]は、ＷＴがストリームｋ中で送信を意図しているＭＡＣフレームの数を表現しており、そして、Ｄ[ｋ]は、ＷＴがストリームｋ中で送信を意図している、パケットの送信デッドラインまでの残りの最小時間を表現している。さらに、
【数５】
2009521853.tif 000007
【０１３４】
例えば、ＴM＝２０ｍｓである。基地局セクタがアップリンク（ＵＬ）スケジューリングアルゴリズム中の情報を利用して、アップリンクトラフィックチャネル（ＵＬ．ＴＣＨ）セグメントの割当を決定することができるように、ＷＴは、ＮT、ＮD、およびＤminについての情報を基地局セクタに報告しなければならない。
【０１３５】
ワイヤレス端末２８００の別の例示的な実施形態では、最大キュー待ち遅延情報は、送信遅延デッドラインまでの最小時間の情報の代わりに、またはこの最小時間の情報に加えて決定され、使用される。
【０１３６】
図２９は、さまざまな実施形態にしたがった例示的な基地局２９００の図である。例示的な基地局２９００は、図１の例示的なシステム１００の例示的な基地局（１０２、１０４）のうちの任意のものであってもよい。
【０１３７】
基地局２９００は、バス２９１６を通して互いに結合された、受信機モジュール２９０４と、送信機モジュール２９０８と、プロセッサ２９１０と、Ｉ／Ｏインターフェース２９１２と、メモリ２９１４とを含み、バス２９１６を通してさまざまな構成部品がデータおよび情報を交換する。メモリ２９１４は、ルーチン２９１８とデータ／情報２９２０とを含む。プロセッサ２９１０、例えば、ＣＰＵは、ルーチン２９１８を実行し、メモリ２９１４中のデータ／情報２９２０を使用して、基地局２９００の動作を制御し、方法を実現する。
【０１３８】
受信機モジュール２９０４、例えば、ＯＦＤＭ受信機は、受信アンテナ２９０２に結合されており、受信アンテナ２９０２を通して、基地局２９００はアップリンク信号を複数のワイヤレス端末から受け取る。アップリンク信号は、例えば、遅延情報レポート、バックログ情報レポート、および／または一緒にコード化された遅延およびバックログ情報を含んでいるレポートのような制御情報レポートを含む。受信機モジュール２９０４は、第１のワイヤレス端末から遅延情報を受け取る。遅延情報は、第１のワイヤレス端末によって送信されるのを待っているデータに対応している。受信機モジュール２９０４はまた、少なくとも１つの付加的なワイヤレス端末によって送信されるのを待っているデータに対応している付加的な遅延情報を、少なくとも１つの付加的なワイヤレス端末から受け取る。受信機モジュール２９０４はまた、バックログ情報、例えば、フレームカウント情報を前記第１のワイヤレス端末および前記付加的なワイヤレス端末から受け取る。また、アップリンク信号は、ワイヤレス端末からの、ＷＴ送信キューデータを伝えるトラフィックチャネルセグメント信号を含む。
【０１３９】
送信機モジュール２９０８、例えば、ＯＦＤＭ送信機は、送信アンテナ２９０６に結合されており、送信アンテナ２９０６を通して、基地局がダウンリンク信号をワイヤレス端末に送信する。ダウンリンク信号は、ワイヤレス端末に対して、アップリンクトラフィックチャネルセグメントの割当を伝える割当信号を含む。
【０１４０】
Ｉ／Ｏインターフェース２９１２は、例えば、他の基地局、ルータ、ＡＡＡノード、ホームエージェントノード等の他のネットワークノードおよび／またはインターネットに基地局２９００を結合させる。Ｉ／Ｏインターフェース２９１２は、基地局２９００をバックホールネットワークに結合させることによって、異なる基地局のネットワークアタッチメントポイントとして異なる基地局を使用している別のワイヤレス端末との通信セッションに、基地局２９００のアタッチメントポイントを使用するワイヤレス端末が参加できるようにする。
【０１４１】
ルーチン２９１８は、スケジューリングモジュール２９２２と、制御レポート処理モジュール２９２４と、割当信号発生モジュール２９２６と、トラフィックチャネルセグメント処理モジュール２９２８とを含む。スケジューリングモジュール２９２２、例えば、スケジューラは、前記第１のワイヤレス端末に対するアップリンク無線リンク送信リソース、例えば、アップリンクトラフィックチャネルセグメントを、第１のワイヤレス端末に対応している受け取った遅延情報の関数としてスケジューリングする。いくつかの実施形態では、スケジューリングモジュール２９２２による前記第１のワイヤレス端末に対するアップリンク送信リソースのスケジューリングはまた、少なくとも１つの付加的なワイヤレス端末に対応している受け取った付加的な遅延情報の関数として実行される。いくつかの実施形態では、スケジューリングモジュール２９２２による前記第１のワイヤレス端末に対するアップリンク送信リソースのスケジューリングはまた、第１のワイヤレス端末から受け取ったバックログ情報の関数として実行される。実施形態の中には、スケジューリングモジュール２９２２による前記第１のワイヤレス端末に対するアップリンク送信リソースのスケジューリングは、少なくとも１つの付加的なワイヤレス端末から受け取ったバックログ情報の関数として実行されるものもある。また、実施形態の中には、スケジューリングモジュール２９２２による前記第１のワイヤレス端末に対するアップリンク送信リソースのスケジューリングは、第１のワイヤレス端末に対応している記憶されたサービス品質情報の関数として実行されるものもある。さらに、実施形態の中には、スケジューリングモジュール２９２２による前記第１のワイヤレス端末に対するアップリンク送信リソースのスケジューリングは、少なくとも１つの付加的なワイヤレス端末に対応している記憶されたサービス品質情報の関数として実行されるものもある。
【０１４２】
いくつかの実施形態では、ワイヤレス端末は、複数の送信ストリームを含む。しかしながら、個々のキューについての情報を伝達するのとは対照的に、基地局２９００に伝達される制御情報レポートは、バックログおよび／またはバックログ関連遅延に関する集約された情報を伝達する。例えば、基地局２９００は、ワイヤレス端末によって使用されている１組の送信ストリームキューの組全体にわたって最悪遅延を示す信号遅延値をワイヤレス端末から受け取る。基地局はまた、ワイヤレス端末によって使用されている１組の送信ストリームキューの組全体にわたるバックログカウントに関する集約された情報を受け取る。
【０１４３】
制御レポート処理モジュール２９２４は、受け取ったアップリンク制御情報レポートを処理して、伝達されている情報を回復させる。受け取ったアップリンク制御情報レポートは、例えば、遅延情報レポート、バックログ情報レポート、ならびに／あるいは一緒にコード化された遅延情報およびバックログ情報を伝えるレポートを組み合わせたものである。伝達されている情報は、例えば、最大キュー待ち遅延、送信デッドラインまでの最小遅延、ならびに／あるいは、キューフレームカウントまたは以前のレポートに関するキューデルタフレームカウントのようなバックログ情報である。制御レポート処理モジュール２９２４は、受け取ったレポートから遅延情報を抽出する遅延情報回復モジュール２９３０と、受け取ったレポートからバックログ情報、例えば、フレームカウント情報を抽出するバックログ情報回復モジュール２９３２とを含む。
【０１４４】
割当信号発生モジュール２９２６は、スケジューリングモジュール２９２２決定に応答し、識別されたワイヤレス端末に向けられているアップリンクトラフィックチャネルセグメント割当を伝える割当信号を発生させる。トラフィックチャネルセグメント処理モジュール２９２８は、ワイヤレス端末からのアップリンクトラフィックチャネルセグメント信号を回復させて、回復された情報、例えば、ユーザデータのパケットを、セグメントに対応しているスケジューリングされたワイヤレス端末と関係付ける。
【０１４５】
データ／情報２９２０は、複数の組のワイヤレス端末データ／情報（ＷＴ１データ／情報２９３４、・・・、ＷＴ Ｎデータ／情報２９３６）と、チャネル構造情報２９３８と、制御レポートのフォーマット情報２９４０とを含む。ＷＴ１データ／情報２９３４は、受け取られたアップリンク制御レポート２９４２と、回復された遅延パラメータ情報２９４４と、回復され集約されたフレームカウント情報２９４６と、回復された条件ベースフレームカウント情報２９４８と、回復されたアップリンクトラフィックデータ／情報２９５２と、割当情報２９５０と、サービス品質情報２９５４とを含む。いくつかの実施形態では、基地局２９００を使用している異なるワイヤレス端末のうちの少なくともいくつかは、ある間隔中、異なるサービス品質レベルを持っている。
【０１４６】
受け取ったアップリンク制御レポート２９４２は、ワイヤレス端末を特徴付けるために基地局によって使用されるさまざまな制御情報レポートを含む。例えば、制御情報レポートには、遅延情報レポートや、アップリンク要求レポートや、ビーコン比レポートのような干渉レポートや、ワイヤレス端末送信電力バックオフレポートのような電力レポートや、自己雑音レポートや、ＳＮＲレポートがあり、アップリンク要求レポートは、バックログ情報、遅延情報、および／またはバックログ情報と遅延情報とを組み合わせたものを伝達する。
【０１４７】
回復された遅延パラメータ情報２９４４は、ワイヤレス端末に関係する伝達された遅延値、例えば、送信キュー中で待っている最大遅延時間または送信デッドラインまでの最小時間を含む。例えば、これらは、複数の送信ストリームキューからの遅延情報の集約に対応している。回復され集約されたフレームカウント情報２９４６は、ワイヤレス端末１に対する送信バックログ情報を示す。回復された条件ベースで集約されたフレームカウント情報２９４８は、遅延考慮に関するフレームカウントに対応している、ワイヤレス端末１に対する送信バックログ情報、例えば、予め定められた基準を満足するフレームに関するカウントを示す。
【０１４８】
チャネル構造情報２９３８は、例えば、遅延情報および／またはバックログ情報を伝達するために、繰り返し構造での位置を識別するアップリンク専用制御チャネル構造情報を含む。図１０、１１および１２は、チャネル制御構造情報２９３８の一部として含まれてもよい例示的な情報を含む。制御レポートのフォーマット情報２９４０は、さまざまな制御チャネルレポートに対応しているビットマッピング定義情報を含む。さまざまな制御チャネルレポートには、例えば、遅延情報と、バックログ情報と、遅延／バックログ情報を組み合わせたものとを伝えるアップリンク要求レポートのようなものがある。図１３、１４、１５、１７、１８、１９、２０、２１、２２、２３、２４、２５、２６および２７では、いくつかの例示的なレポーティングフォーマットを説明するために使用される情報を提供している。
【０１４９】
ワイヤレス端末２８００に対応している１つの例示的な実施形態では、対応しているキュー（２８３６、・・・、２８３８）を有する１６個の送信ストリームがある。チャネル構造情報は図１０、１１および１２の情報を含み、その制御レポートのフォーマット情報は図２３ないし２７の情報を含むとして考える。ＷＴが送信を意図している１６個のストリーム中のＭＡＣフレーム数を、ＷＴが報告する。ＷＴは、１６個の要素Ｎ[０：１５]（情報２８４４、・・・、情報２８４６）およびＤ[０：１５]（情報２８４８、・・・、情報２８５０）の２ベクトルを維持し、また、３個のスカラ、ＮT（情報２８５４）、ＮD（情報２８５６）、およびＤmin（２８５２）を維持する。ｋ＝０：１５に対して、Ｎ[ｋ]は、ＷＴがストリームｋ中で送信を意図しているＭＡＣフレームの数を表現しており、そして、Ｄ[ｋ]は、ＷＴがストリームｋ中で送信を意図している、パケットの送信デッドラインまでの残りの最小時間を表現している。さらに、
【数６】
2009521853.tif 000008
【０１５０】
例えば、ＴM＝２０ｍｓである。基地局セクタがアップリンク（ＵＬ）スケジューリングアルゴリズム中の情報を利用して、アップリンクトラフィックチャネル（ＵＬ．ＴＣＨ）セグメントの割当を決定することができるように、ＷＴ２９００は、ＮT、ＮD、およびＤminについての情報を基地局セクタに報告しなければならない。回復された遅延パラメータ２９４４は、回復されたＤmin２８５２であり、回復され集約されたフレームカウント情報２９４６は、回復されたＮT２８５４であり、回復された条件ベースで集約されたフレームカウント情報２９４８は回復されたＮD２８５６である。
【０１５１】
基地局２９００の別の例示的な実施形態では、最大キュー待ち遅延情報は、送信遅延デッドラインまでの最小時間の情報の代わりに決定されて使用され、また、送信遅延デッドラインまでの最小時間の情報に加えて決定されて、使用される。
【０１５２】
図３０Ａと図３０Ｂとを組み合わせたものを含む図３０は、さまざまな実施形態にしたがって基地局を動作させる例示的な方法のフローチャート３０００の図である。例示的な方法は、ステップ３００２において開始し、ここで、基地局が、電源投入され、初期化されて、ステップ３００４および３００６に進む。１つ以上の付加的なワイヤレス端末のそれぞれに対する動作は、ステップ３００６に進む。例えば、複数のワイヤレス端末は、基地局に対してＯＮ状態中であってもよく、専用制御チャネルリソースを使用して、制御レポートを基地局に送信していてもよい。前記制御レポートのうちの少なくともいくつかは、アップリンク送信バックログに関する遅延情報を伝達している。
【０１５３】
ステップ３００４では、基地局が、第１のワイヤレス端末から送信バックログ情報を受け取る。送信バックログ情報は、前記第１のワイヤレス端末から前記基地局に送信されるのを待っているデータの量を示している。ステップ３００４は、サブステップ３００８および３０１０のうちの１つ以上のものを含む。サブステップ３００８では、送信ストリームキューの集約されたバックログを示す送信バックログ、例えば、アップリンクトラフィックバックログの総フレームカウントを基地局が第１のワイヤレス端末から受け取る。サブステップ３０１０では、送信ストリームキューの条件付き集約されたバックログを示す送信バックログを、基地局が、第１のワイヤレス端末から受け取る。この送信バックログには、例えば、予め定められた値よりも小さい、または予め定められた値に等しい、関係する送信デッドラインまでの最小遅延を有するフレームのカウントがある。動作はステップ３００４からステップ３０１６に進む。
【０１５４】
ステップ３００６では、基地局が、付加的なワイヤレス端末から送信バックログ情報を受け取る。送信バックログ情報は、前記付加的なワイヤレス端末から前記基地局に送信されるのを待っているデータの量を示している。ステップ３００６は、サブステップ３０１２および３０１４のうちの１つ以上のものを含む。サブステップ３０１２では、送信ストリームキューの集約されたバックログを示す送信バックログ、例えば、アップリンクトラフィックバックログの総フレームカウントを、基地局が付加的なワイヤレス端末から受け取る。サブステップ３０１４では、送信ストリームキューの条件付き集約されたバックログを示す送信バックログを基地局が第１のワイヤレス端末から受け取る。この送信バックログには、例えば、予め定められた値よりも小さい、または予め定められた値に等しい、関係する送信デッドラインまでの最小遅延を有するフレームのカウントがある。動作は、ステップ３００６からステップ３０１８に進む。
【０１５５】
ステップ３０１６では、基地局が、第１のワイヤレス端末から遅延情報を受け取る。遅延情報は、第１のワイヤレス端末によって送信されるのを待っているデータに対応している。例えば、第１のワイヤレス端末は、１つ以上の送信ストリームのそれぞれに対して、送信デッドラインまでの最小時間を決定して、遅延値を伝達してもよい。この遅延値は、１組の個々の決定された送信デッドライン値までの最小時間の値のうちの最小値である。別の例として、第１のワイヤレス端末が、１つ以上の送信ストリームのそれぞれに対して、最大キュー遅延時間を決定して、遅延値を伝達してもよい。この遅延値は、１組の個々の決定された最大遅延値のうちの最大値である。さまざまな実施形態において、伝達された遅延値は、量子化された表現である。
【０１５６】
ステップ３０１８では、基地局が、付加的なワイヤレス端末から遅延情報を受け取る。遅延情報は、第１のワイヤレス端末によって送信されるのを待っているデータに対応している。動作は、接続ノードＡ３０２０を通して、ステップ３０１６および３０１８から、ステップ３０２２に進む。
【０１５７】
ステップ３０２２では、基地局が、前記第１のワイヤレス端末と前記１つ以上の付加的なワイヤレス端末とからの、前記受け取った送信バックログ情報と前記受け取った遅延情報との関数として、ワイヤレス端末に対するワイヤレス端末アップリンク送信リソース、例えば、アップリンクトラフィックチャネルセグメントをスケジューリングする。さまざまな実施形態では、基地局はまた、スケジューリング決定を実行するにあたって、前記第１のワイヤレス端末と前記少なくとも１つの付加的なワイヤレス端末とに対応しているサービス品質レベル情報を使用する。そして、ステップ３０２４では、割当情報、例えば、アップリンクトラフィックチャネル割当情報を基地局が前記ワイヤレス端末に送信する。動作は、ステップ３０２４からステップ３０２６に進む。
【０１５８】
ステップ３０２６では、ワイヤレス端末にアップリンクトラフィックチャネルリソースが割り振られたことを識別する割当を受け取った少なくとも１つのワイヤレス端末から、基地局がアップリンクトラフィック信号を受け取る。動作は、ステップ３０２６からステップ３０２８に進む。
【０１５９】
ステップ３０２８では、基地局が、第１のワイヤレス端末から更新された遅延情報を受け取る。そして、ステップ３０３０では、前記受け取った更新された遅延情報の関数として、ワイヤレス端末に対するワイヤレス端末アップリンク送信リソース、例えば、アップリンクトラフィックチャネルセグメントを基地局がスケジューリングする。
【０１６０】
１つの例示的な実施形態では、基地局、例えば、基地局２９００が、前記第１のワイヤレス端末と、前記付加的なワイヤレス端末とから、アップリンク要求レポートを受け取っている。これらの端末は、図２３の表２３００と、図２４の表２４００と、図２５の表２５００とに対応している参照番号＝０を持つ要求辞書を使用している。また、集約されたバックログ情報はＮTによって表現され、条件付き集約されたバックログ情報はＮDによって表現され、遅延情報はＤminによって表現されている。したがって、いくつかの実施形態において、アップリンクトラフィックチャネルリソースについて競争しているワイヤレス端末に対応している情報の組（ＮT、ＮD、およびＮmin）を基地局が維持し、そして、スケジューラ２９２２は、スケジューリング決定を行うにあたって、その情報を使用する。
【０１６１】
実施形態の中には、バックログ情報を追跡するために、フレームカウントとは異なる単位、例えば、パケットのカウントや、ビットのカウント等が利用されているものもある。
【０１６２】
ＯＦＤＭシステムの文脈で説明したが、多くの非ＯＦＤＭおよび／または非セルラシステムを含む、幅広い範囲の通信システムに対して、さまざまな実施形態の方法および装置が適用可能である。
【０１６３】
さまざまな実施形態では、１つ以上の方法に対応する、例えば、信号処理、遅延決定、フレームカウント決定、情報の集約、キュー管理、レポート発生、エンコーディング、レポート伝達ステップを実行するための１つ以上のモジュールを使用して、ここで説明したノードが実現される。いくつかの実施形態では、モジュールを使用して、さまざまな特徴を実現する。ソフトウェア、ハードウェア、または、ソフトウェアおよびハードウェアの組み合わせを使用して、このようなモジュールを実現してもよい。ソフトウェアのような、機械実行可能命令を使用して、上記で説明した方法または方法ステップの多くを実現でき、機械実行可能命令は、メモリデバイス、例えば、ＲＡＭ、フロッピー（登録商標）ディスク等のような、機械読取可能媒体中に含まれ、機械を、例えば、追加的ハードウェアを有するまたは有さない汎用コンピュータを制御して、例えば、１つ以上のノード中で上記で説明した方法の全部または一部を実現する。したがって、とりわけ、さまざまな実施形態は、機械実行可能命令を含む機械読取可能媒体に向けられており、機械実行可能命令は、機械、例えば、プロセッサと、関係付けられたハードウェアとに、上記で説明した方法のうちの１つ以上のステップを実行させる。
【０１６４】
上で説明した方法および装置の数々の追加的変形は、上記の説明の観点から、当業者に明らかになるだろう。このような変形は、範囲内であるとして考えるべきである。さまざまな実施形態の方法および装置は、そして、さまざまな実施形態における方法および装置は、ＣＤＭＡ、直交周波数分割多重（ＯＦＤＭ）、および／または、アクセスノードと移動体ノードとの間にワイヤレス通信リンクを提供するのに使用されてもよいさまざまな他のタイプの通信技術とともに使用されてもよい。いくつかの実施形態では、アクセスノードは基地局として実現され、基地局は、ＯＦＤＭおよび／またはＣＤＭＡを使用して、移動体ノードとの通信リンクを確立する。さまざまな実施形態では、さまざまな実施形態の方法を実現するために、移動体ノードは、ノートブックコンピュータ、パーソナルデータアシスタント（ＰＤＡ）、あるいは、受信機／送信機回路と、論理および／またはルーチンとを含む他のポータブルデバイスとして実現される。
【図面の簡単な説明】
【０１６５】
【図１】図１は、さまざまな実施形態にしたがって実現される例示的なワイヤレス通信システムの図である。
【図２】図２は、さまざまな実施形態にしたがった例示的なワイヤレス端末、例えば、移動体ノードの図である。
【図３】図３は、さまざまな実施形態にしたがった別の例示的なワイヤレス端末、例えば、移動体ノードの図である。
【図４】図４は、さまざまな実施形態にしたがった例示的な基地局の図である。
【図５】図５は、さまざまな実施形態にしたがってワイヤレス端末を動作させる例示的な方法のフローチャートの図である。
【図６】図６は、さまざまな実施形態にしたがってワイヤレス端末を動作させる別の例示的な方法のフローチャートの図である。
【図７】図７は、さまざまな実施形態にしたがってワイヤレス端末を動作させる別の例示的な方法のフローチャートの図である。
【図８】図８は、さまざまな実施形態にしたがってワイヤレス端末を動作させる別の例示的な方法のフローチャートの図である。
【図９】図９Ａ、図９Ｂ、および図９Ｃを組み合わせたものを含む図９は、さまざまな実施形態にしたがって基地局を動作基地局を動作させる例示的な方法のフローチャートの図である。
【図９Ａ】図９Ａは、さまざまな実施形態にしたがって基地局を動作させる例示的な方法のフローチャートの図である。
【図９Ｂ】図９Ｂは、さまざまな実施形態にしたがって基地局を動作させる例示的な方法のフローチャートの図である。
【図９Ｃ】図９Ｃは、さまざまな実施形態にしたがって基地局を動作させる例示的な方法のフローチャートの図である。
【図１０】図１０は、例示的なアップリンクタイミングにおける例示的なアップリンク専用制御チャネル（ＤＣＣＨ）セグメント、および例示的な直交周波数分割多重化（ＯＦＤＭ）多元接続ワイヤレス通信システムにおける周波数構造の図である。
【図１１】図１１は、図１０の専用制御チャネルセグメントを使用して伝達されてもよい例示的な専用制御レポートをリスト表示する表である。
【図１２】図１２は、所定の専用制御チャネルトーンに対する、例えば、ワイヤレス端末に対応している例示的な経常時間間隔中のレポートフォーマット情報を図示している図である。
【図１３】図１３は、例示的な４ビット遅延レポートの例示的なフォーマットを記載している表の図である。
【図１４】図１４は、例示的な４ビット遅延レポートの別の例示的なフォーマットを記載している表の図である。
【図１５】図１５は、ワイヤレス端末が遅延情報レポートを伝達するように選択する機会を持つ例示的なフレキシブルレポートを記載している表の図である。
【図１６】図１６は、以前に報告された制御情報の関数のような例示的な制御係数の決定を図示している表の図であり、制御係数は要求レポートをインタープリタする際に使用される。
【図１７】図１７は、例示的な要求辞書Ａに対応している例示的な３ビットアップリンク要求レポートフォーマットの図である。
【図１８】図１８は、例示的な要求辞書Ａに対応している例示的な４ビットアップリンク要求レポートフォーマットの図である。
【図１９】図１９は、例示的な要求辞書Ｂに対応している例示的な３ビットアップリンク要求レポートフォーマットの図である。
【図２０】図２０は、例示的な要求辞書Ｂに対応している例示的な４ビットアップリンク要求レポートフォーマットの図である。
【図２１】図２１は、例示的な要求辞書Ｃに対応している例示的な３ビットアップリンク要求レポートフォーマットの図である。
【図２２】図２２は、例示的な要求辞書Ｃに対応している例示的な４ビットアップリンク要求レポートフォーマットの図である。
【図２３】図２３は、例示的な１ビットアップリンク要求レポートフォーマットを記載している表の図である。
【図２４】図２４は、参照番号０を伴った例示的な要求辞書に対応している例示的な４ビットアップリンク要求レポートフォーマットを記載している表の図である。
【図２５】図２５は、参照番号０を伴った例示的な要求辞書に対応している例示的な３ビットアップリンク要求レポートフォーマットを記載している表の図である。
【図２６】図２６は、参照番号１を伴った例示的な要求辞書に対応している例示的な４ビットアップリンク要求レポートフォーマットを記載している表の図である。
【図２７】図２７は、図２５は、参照番号１を伴った例示的な要求辞書に対応している例示的な３ビットアップリンク要求レポートフォーマットを記載している表の図である。
【図２８】図２８は、さまざまな実施形態にしたがった別のワイヤレス端末、例えば、移動体ノードの図である。
【図２９】図２９は、さまざまな実施形態にしたがった別のワイヤレス端末の図である。
【図３０】図３０Ａおよび図３０Ｂを組み合わせたものを含む図３０は、さまざまな実施形態にしたがって、基地局を動作させる例示的な方法のフローチャートの図である。
【図３０Ａ】図３０Ａは、さまざまな実施形態にしたがって、基地局を動作させる例示的な方法のフローチャートの図である。
【図３０Ｂ】図３０Ｂは、さまざまな実施形態にしたがって、基地局を動作させる例示的な方法のフローチャートの図である。
【図１】
2009521853.tif 000009
【図２】
2009521853.tif 000010
【図３】
2009521853.tif 000011
【図４】
2009521853.tif 000012
【図５】
2009521853.tif 000013
【図６】
2009521853.tif 000014
【図７】
2009521853.tif 000015
【図８】
2009521853.tif 000016
【図９】
2009521853.tif 000017
【図９Ａ】
2009521853.tif 000018
【図９Ｂ】
2009521853.tif 000019
【図９Ｃ】
2009521853.tif 000020
【図１０】
2009521853.tif 000021
【図１１】
2009521853.tif 000022
【図１２】
2009521853.tif 000023
【図１３】
2009521853.tif 000024
【図１４】
2009521853.tif 000025
【図１５】
2009521853.tif 000026
【図１６】
2009521853.tif 000027
【図１７】
2009521853.tif 000028
【図１８】
2009521853.tif 000029
【図１９】
2009521853.tif 000030
【図２０】
2009521853.tif 000031
【図２１】
2009521853.tif 000032
【図２２】
2009521853.tif 000033
【図２３】
2009521853.tif 000034
【図２４】
2009521853.tif 000035
【図２５】
2009521853.tif 000036
【図２６】
2009521853.tif 000037
【図２７】
2009521853.tif 000038
【図２８】
2009521853.tif 000039
【図２９】
2009521853.tif 000040
【図３０】
2009521853.tif 000041
【図３０Ａ】
2009521853.tif 000042
【図３０Ｂ】
2009521853.tif 000043
【国際調査報告】
2009521853.tif 000044
2009521853.tif 000045
2009521853.tif 000046